(57)【特許請求の範囲】
【請求項１】
本体ケース（１）と、肌面上を転動可能な転動体（２９）を含む肌接触体（２）とを備えており、
転動体（２９）が、遊転自在に支持されるボール（２９）で構成してあり、
ボール（２９）は、ボール窓（１０２）を介して外空間に露出しており、
ボール（２９）をボール窓（１０２）へ向かって移動付勢するばね（１０４）が設けられており、
ボール（２９）が肌面に電流を供給する肌電極を兼ねており、
ばね（１０４）を介してボール（２９）に電流が供給されるように構成されており、
ボール（２９）に対してばね（１０４）を直接接触させてあり、
ばね（１０４）は、コイルばねからなり、
ばね（１０４）のボール（２９）に接触させている側をリング状に形成してボール（２９）を受け入れる受座（１０４ａ）が構成されており、
ボール（２９）を受座（１０４ａ）に受け入れた状態において、ボール（２９）の端部が受座（１０４ａ）のコイルの厚みよりも内方に位置しており、
常態においてボール（２９）は、ボール窓（１０２）の周縁（１０２ａ）で受け止められており、ボール（２９）が肌面等に当接して内方へ押し込まれると、ボール（２９）がボール窓（１０２）の内方に位置する前拡がりテーパー状の受座（１０５）で受け止められるように、常態時にボール（２９）と受座（１０５）との間に隙間が形成されており、
常態時のばね（１０４）の全長よりも上記隙間が小さく設定されていることを特徴とする美容器具。
【請求項２】
ボール（２９）を加熱または冷却する熱源（３）を備えており、
ばね（１０４）が、熱源（３）の熱をボール（２９）に伝導する伝熱体を兼ねていることを特徴とする請求項１に記載の美容器具。
【請求項３】
ボール（２９）が、受熱体（２８）に形成した受座（１０５）で遊転自在に支持されており、
熱源（３）の熱は受熱体（２８）に伝導するよう構成されており、
ボール（２９）を肌面に押し当てた際、ボール（２９）はばね（１０４）の弾性力に抗して沈み込み、受座（１０５）に摺接することを特徴とする請求項２に記載の美容器具。
【発明の詳細な説明】
【技術分野】
【０００１】
本発明は、肌面上を転動して圧刺激を付与する転動体を備えた美容器具に関する。本発明において圧刺激とは、転動体により肌面を押圧し、圧迫し、擦り、あるいは叩くことなどにより感じられる触覚的な刺激のことをいう。
【背景技術】
【０００２】
本発明に関連して、肌面上を転動可能なボールを有する装置が、特許文献１に開示されている。そこでは、第１導電体を有する不感電極本体と不感電極本体の端部に設けられる感電極本体を備え、感電極本体には、穴状の保持部を備え、保持部には、球状の第２伝導体が保持される。また、第２伝導体の背面には、第２伝導体と接触する半球状の凹部を有する導通本体が設けられている。導通本体の背面には、第２伝導体が皮膚に当接する圧力を調整するとともに、第２伝導体と導通本体が接触する圧力を調整するコイル状のスプリングからなる圧力調整体を備える。不感電極本体と感電極本体に電流を供給することで、両者間の電流値を検出し、これを判定部により人体の良導点か否かを判定することができる。このとき、第２伝導体が球状であるので、回転しながら皮膚と接触することができ、任意の方向に容易にスライドさせることができる。
【先行技術文献】
【特許文献】
【０００３】
【特許文献１】特開平９−２２５００４号公報
【発明の概要】
【発明が解決しようとする課題】
【０００４】
特許文献１の装置によれば、球状の第２伝導体を肌面に押し付けスライドさせることで、肌面に対して圧刺激を与えることができる。また、球状の第２伝導体により肌面に電流を供給することができる。しかし、第２伝導体は、半球状の凹部を有する導通本体を介して圧力調整体で弾性付勢されており、電源部からの電流は、リード線と導通本体を介して第２伝導体に供給される。このため、球状の第２伝導体および導通本体のフロート動作に伴い、導通本体に接続したリード線もその動作に連れて動かされて変形する。これを経年的に繰り返されれば変形部分が疲労して断線の可能性がある。
【０００５】
本発明の目的は、肌面に電流を供給できるボールのフロート動作が繰り返されても電流供給ラインの断線による導通不良を防止できる美容器具を提供することにある。
【課題を解決するための手段】
【０００６】
本発明に係る美容器具は、本体ケース１と、肌面上を転動可能な転動体２９を含む肌接触体２とを備えており、転動体２９が、遊転自在に支持されるボール２９で構成してある。ボール２９は、ボール窓１０２を介して外空間に露出している。ボール２９をボール窓１０２へ向かって移動付勢するばね１０４が設けられている。ボール２９が肌面に電流を供給する肌電極を兼ねており、ばね１０４を介してボール２９に電流が供給される。
【０００７】
ボール２９に対してばね１０４を直接接触させてあり、ばね１０４のボール２９に接触させている側をリング状に形成してボール２９を受け入れる受座１０４ａを構成している。
【０００８】
ボール２９を加熱または冷却する熱源３を備えており、ばね１０４が、熱源３の熱をボール２９に伝導する伝熱体を兼ねている。
【０００９】
ボール２９が、受熱体２８に形成した受座１０５で遊転自在に支持されている。熱源３の熱は受熱体２８に伝導するよう構成されている。ボール２９を肌面に押し当てた際、ボール２９はばね１０４の弾性力に抗して沈み込み、受座１０５に摺接する。
【発明の効果】
【００１０】
本発明に係る美容器具は、転動体２９を遊転自在なボール２９で構成しているので、肌面に圧刺激を付与することができる。このとき、肌面上をボール２９が滑らかに回転するので、肌接触体２の移動が容易となる。ボール２９をボール窓１０２へ向かってばね１０４で移動付勢しているので、ボール２９のフロート動作が可能となり、肌面に対するボール２９の接触感をソフトで優しいものとすることができる。ボール２９が肌面に電流を供給する肌電極を兼ねていることにより、肌面に圧刺激に加えて電流刺激を付与することができる。本発明において電流刺激とは、微弱電流による刺激のみに限らず、イオン導入処理とイオン導出処理を含み、さらに、イオン導入処理時やイオン導出処理時よりも高い電圧に設定して行う筋肉の電流刺激なども含む概念である。ボール２９にはばね１０４を介して電流が供給されるため、電流供給ラインの断線による導通不良を確実に防止できる。
【００１１】
ボール２９に対してばね１０４を直接接触させてあり、ばね１０４のボール２９に接触させている側をリング状に形成してボール２９を受け入れる受座１０４ａを構成していると、受座１０４によりボール２９の姿勢を安定させることができる。また、ボール２９に対してばね１０４を直接接触させて支持すると、ボール２９を支持するための部材をばね１０４との間に介在させる必要が無く、その分だけコストを削減することができる。
なお、受座１０４ａは、ボール２９の表面が受座１０４ａの開口からボール窓１０２の反対側に突出できるよう構成されている。
【００１２】
ボール２９を加熱または冷却する熱源３を備えており、ばね１０４が、熱源３の熱をボール２９に伝導する伝熱体を兼ねていると、圧刺激、電流刺激に加えて熱刺激を肌面に付与することができる。
【００１３】
ボール２９を肌面に押し当てた際、ボール２９はばね１０４の弾性力に抗して沈み込み、受熱体２８の受座１０５に摺接することにより、ばね１０４からの熱移動に加えて受座１０５からも熱が伝導するため、ボール２９の加熱が促進される。
【図面の簡単な説明】
【００１４】
【図１】第１の提案例に係る美容器具の縦断側面図である。
【図２】美容器具の正面図である。
【図３】美容器具の肌接触体および熱源を示す一部破断側面図である。
【図４】図１におけるＡ−Ａ線断面図である。
【図５】美容器具の制御系のブロック図である。
【図６】第２の提案例に係る美容器具の肌接触体の（ａ）縦断面図と（ｂ）横断面図である。
【図７】第２の提案例に係る肌接触体の分解斜視図である。
【図８】第３の提案例に係る美容器具の肌接触体の（ａ）縦断面図と（ｂ）横断面図である。
【図９】第３の提案例に係る肌接触体の分解斜視図である。
【図１０】第４の提案例に係る美容器具の要部の横断平面図である。
【図１１】第５の提案例に係る美容器具の要部の横断平面図である。
【図１２】第６の提案例に係る美容器具の要部の横断平面図である。
【図１３】第７の提案例に係る美容器具の要部の横断平面図である。
【図１４】第８の提案例に係る美容器具の正面図である。
【図１５】第８の提案例に係る美容器具の本体ケースおよびアタッチメントの縦断側面図である。
【図１６】第８の提案例に係るアタッチメントを本体ケースに装着した一部破断側面図である。
【図１７】第８の提案例に係る美容器具の制御系のブロック図である。
【図１８】本発明に係る第１実施例の美容器具の正面図である。
【図１９】第１実施例に係るアタッチメントを本体ケースに装着した縦断側面図である。
【図２０】第１実施例に係るアタッチメントの要部の断面図である。
【図２１】第２実施例に係る美容器具の要部の正面図である。
【図２２】第９の提案例に係る美容器具の一部破断側面図である。
【図２３】図２２におけるＢ矢視図である。
【図２４】第９の提案例に係る肌接触体および熱源の縦断面図である。
【図２５】第１０の提案例に係る美容器具の図２３に相当する図である。
【図２６】第１０の提案例に係る肌接触体および熱源の縦断面図である。
【図２７】第１１の提案例に係る美容器具の肌接触体および熱源の縦断面図である。
【図２８】第１２の提案例に係る美容器具の図２３に相当する図である。
【図２９】第１３の提案例に係る美容器具の図２３に相当する図である。
【図３０】図２９におけるＣ−Ｃ線断面図である。
【発明を実施するための形態】
【００１５】
（第１の提案例）  図１ないし図５に、第１の提案例に係る美容器具を示す。なお、本提案例における前後、左右、上下とは、図中に示す交差矢印と、各矢印の近傍に表記した前後、左右、上下の表示に従う。図１および図２において美容器具は、グリップを兼ねる縦長の本体ケース１と、本体ケース１の前面上部に配置される肌接触体２と、肌接触体２を加熱または冷却するペルチェユニット（熱源）３と、ペルチェユニット３などの駆動状態を制御する電装品ユニット４などで構成される。
【００１６】
肌接触体２は本体ケース１に対して着脱自在に設けてあり、ペルチェユニット３と電装品ユニット４は本体ケース１に組み込んである。ペルチェユニット３は肌接触体２の後方に配置してあり、本体ケース１の前面上部に形成した伝熱窓５からペルチェユニット３の前面が露出して、肌接触体２の後面に正対している。ペルチェユニット３は本体ケース１に対して前後移動可能に組み付けてあり、本体ケース１に組み込まれた上下一対のばね（弾性体）６で前方へ、すなわち肌接触体２へ向かって密着付勢してある。
【００１７】
電装品ユニット４は、本体ケース１の下部に収容された２個の電池９と制御基板１０などで構成してあり、制御基板１０の前面には上下一対のスイッチ１１・１２と、美容器具の運転状態を表示する表示部１３などが実装してある。上側のスイッチ１１は、電池９からペルチェユニット３等への駆動電流の供給をオンオフ操作するための電源スイッチであり、下側のスイッチ１２は、美容器具の運転モードを切り替え操作するためのモード切替スイッチである。表示部１３は、上下に並べて配置された４個のＬＥＤで構成してある。両スイッチ１１・１２および表示部１３はそれぞれ、本体ケース１の前面下部に形成された開口に臨んでおり、これら開口は、本体ケース１に外面側から貼着された薄い化粧シート１４で覆われている。化粧シート１４は、少なくとも表示部１３に正対する部分が透光性を有している。
【００１８】
図２および図３に示すように、本体ケース１の前面上部には、肌接触体２が装着される正面視Ｕ字状の装着部１７が突設してある。装着部１７は、前面および上面が開口する装填溝１８を備えており、この装填溝１８に対して肌接触体２を上面開口から出し入れすることにより、肌接触体２を本体ケース１に着脱することができる。装填溝１８の左右対向面には、上下方向に伸びる突条１９がそれぞれ形成してあり、肌接触体２の左右側面には、突条１９と係合する挿入溝２０がそれぞれ形成してある。本体ケース１の前面の上端部には、肌接触体２を装着状態に維持するためのロック具２１が設けてある。ロック具２１は、本体ケース１に対して前後移動可能に組み付けられて、本体ケース１に組み込まれたばね２２で前方へ移動付勢されている。
【００１９】
肌接触体２の挿入溝２０の下端部に突条１９の上端部を挿入し、肌接触体２を装填溝１８の左右面に沿って下方にスライドさせると、肌接触体２を装着部１７に装着することができる。この装着動作の際に、ロック具２１およびペルチェユニット３は肌接触体２によって後方へ押される。ロック具２１は、その前方を肌接触体２の全体が通り過ぎたところで、ばね２２に付勢されて前方へ復帰し、肌接触体２の上縁部に形成された段部２４に係合する。ロック具２１と段部２４の係合により、肌接触体２の上方への抜け出しが規制される。肌接触体２を装着部１７から取り外す場合は、ロック具２１をばね２２の付勢力に抗して後方へ移動させた状態で肌接触体２を上方へスライドさせて、装填溝１８の上面開口から肌接触体２を抜き出す。
【００２０】
肌接触体２は、ペルチェユニット３から温熱あるいは冷熱を受容する受熱体２８と、受熱体２８で遊転自在に支持される６個の球体状のボール（転動体）２９と、受熱体２８と協同してボール２９を保持するボールカバー３０とで構成される。受熱体２８は全体として、前後寸法が上下寸法および左右寸法よりも小さい四角ブロック状に形成されている。上述の挿入溝２０は受熱体２８の左右側面に形成してあり、段部２４は受熱体２８の後面の上隅に形成してある。受熱体２８の後面側にはペルチェユニット３と正対する伝熱壁３１が設けてあり、同壁３１の受熱面３２がペルチェユニット３の前面の熱供給面４９と密着して、ペルチェユニット３から温熱あるいは冷熱を受容する。
【００２１】
ボール２９は、肌接触体２の前面側において、上下方向に３個、左右方向に２個の格子状に配列されている。具体的には、受熱体２８の前面に、ボール２９と同数すなわち６個の収容凹部３５が形成してあり、各収容凹部３５にボール２９が１個ずつ収容してある。ボールカバー３０は、受熱体２８の前面の周縁に沿う矩形枠状の周囲枠３６と、各収容凹部３５の前縁に沿って配置される６個のリング状の保持枠３７とを備える。図４に示すように各保持枠３７の内径は、ボール２９の直径Ｒよりも小さく形成してある。各保持枠３７の内周縁は、その全周にわたってボール２９の前部の表面に当接しており、保持枠３７の内側からボール２９の前端部が前方へ突出している。また、各収容凹部３５の内奥面には、同凹部３５よりも小径のボール保持凹部３８が形成してあり、ボール保持凹部３８の周縁（凹みが始まる縁）がその全周にわたってボール２９の後部の表面に当接している。つまり、ボール保持凹部３８が、ボール２９の表面に対して線接触状に接触している。このように、ボール２９の前後面を保持枠３７とボール保持凹部３８の周縁で支持することにより、ボール２９の受熱体２８およびボールカバー３０に対する全方向（前後方向・左右方向・上下方向）の移動が規制されている。各ボール２９は、全方向の自転（ボール２９の中心のまわりの回転）のみ可能な状態で、収容凹部３５に収容されている。
【００２２】
収容凹部３５の内奥面にボール保持凹部３８を設け、同凹部３８の縁でボール２９を支持したのは、収容凹部３５とボール２９を線接触の状態として、ボール２９が自転するときの摺動抵抗を減少させるためである。このとき、受熱体２８からボール２９へは、線接触の部位にて熱伝導により熱を移動できるため、１つの点接触部位から熱移動する場合に比べて、熱伝導効率を向上できる。保持枠３７とボール２９も線接触の状態として、両者３７・２９の間で大きな摺動抵抗が生じないようにしている。１つの点接触部位による熱移動に比べて熱伝導効率を向上できるとはいえ面接触に比べれば熱伝導効率は低い。これを補うため、ボール保持凹部３８の内奥隅部を断面内凹み湾曲状（本提案例では部分球面状）に形成し、ボール２９の後部に臨む収容凹部３５の内奥隅部も断面内凹み湾曲状（本提案例では部分球面状）に形成した。これにより、ボール保持凹部３８および収容凹部３５の内奥隅部とボール２９の表面との間隔を小さくして、その間に介在する空気の層を薄くすることができるので、受熱体２８からボール２９への熱移動効率を向上することができる。
【００２３】
ボール保持凹部３８の深さ寸法Ｔ１は、受熱面３２からボール保持凹部３８の内奥面までの前後方向の距離Ｔ２よりも小さく設定してある（Ｔ１＜Ｔ２）。また、深さ寸法Ｔ１は、ボール２９の半径よりも小さく設定してある（Ｔ１＜Ｒ／２）。このように、ボール保持凹部３８の深さ寸法Ｔ１を小さくすることによっても、ボール保持凹部３８の壁面とボール２９の表面の間隔を小さくして、その間に介在する空気の層を薄くすることができるので、ボール２９への熱移動効率を向上することができる。受熱面３２から収容凹部３５の内奥面までの前後方向の距離Ｔ３（Ｔ３＝Ｔ１＋Ｔ２）、すなわち伝熱壁３１の前後厚みは、ボール２９の直径Ｒよりも小さく設定してある。これにより、伝熱壁３１を薄型化して、受熱体２８を軽量化できるとともに、ペルチェユニット３の熱を収容凹部３５の内奥面やボール保持凹部３８の壁面まで素早く伝えることができる。
【００２４】
図２においてボールカバー３０の各保持枠３７は、上下に隣接する保持枠３７あるいは周囲枠３６の横桟と上下に繋がっており、ボールカバー３０の左右中央およびその両側には、周囲枠３６と保持枠３７で囲まれる縦長の窓部４１が形成されている。各窓部４１からは受熱体２８の前面が露出しており、当該前面が肌面に熱刺激を付与する肌刺激面４２を構成する。ペルチェユニット３から受熱体２８に伝導した熱の一部はボールカバー３０に伝導するため、ボールカバー３０の前面もまた肌刺激面４３を構成する。受熱体２８とボールカバー３０の肌刺激面４２・４３は面一状になっている（図４参照）。肌接触体２を構成する受熱体２８とボール２９とボールカバー３０はそれぞれ、熱伝導率の高い金属材料を素材として形成することができ、具体的な金属材料としてはチタンやアルミニウムおよびその合金などを挙げることができる。受熱体２８は、ダイキャスト成形品あるいは押出成形品に切削加工を施して形成することができる。
【００２５】
なおボールカバー３０は、プラスチック材料を素材として形成してもよく、この場合は金属製のものよりも安価に製造でき、また種々のカラーリングを施してデザイン性を向上できる。ボールカバー３０のデザインが異なる複数種の美容器具を容易にシリーズ化できる利点もある。一方、プラスチック製のボールカバー３０は、金属製の受熱体２８やボール２９に比べて熱伝導性に劣るので、この場合は肌接触体２の前面に占める肌刺激面４３の割合を小さくし、代わりに受熱体２８の肌刺激面４２やボール２９の割合を大きくすることが好ましい。また後述するように、金属製のボールカバー３０の肌刺激面４３は、受熱体２８の肌刺激面４２およびボール２９と同様に、肌面に電流刺激を付与する電流供給面として機能するが、ボールカバー３０をプラスチック材料で形成する場合の肌刺激面４３は、電流供給面としては機能しない。
【００２６】
図３および図４においてペルチェユニット３は、発熱面と吸熱面を前後に向けて配置される矩形状のペルチェ素子４５と、ペルチェ素子４５の周縁を取り囲む矩形枠状の素子ホルダー４６と、ペルチェ素子４５の前面に密着配置される矩形板状の伝熱板４７と、ペルチェ素子４５の後面に密着配置されるヒートシンク４８などで構成される。伝熱板４７およびヒートシンク４８は、熱伝導率の高いアルミニウムなどの金属材料を素材として形成してある。伝熱板４７の前面は、肌接触体２の受熱面３２に密着する熱供給面４９を構成する。ヒートシンク４８の後面の上下２個所が先述のばね６で前方へ付勢されており、肌接触体２を分離した状態においては、ヒートシンク４８の上下端部が、本体ケース１に設けた上下一対のストッパー５０に受け止められて、ペルチェユニット３のそれ以上の前方への移動が規制される。上側のストッパー５０は、ロック具２１用のばね２２の後端を受け止めるばね受体を兼ねている。
【００２７】
図１においてヒートシンク４８の後方には、ヒートシンク４８に熱交換風を供給するためのファン５３が配置してあり、ファン５３に正対する本体ケース１の後壁上部と、本体ケース１の底壁には、網目状のフィルタを備える通気口５４・５５がそれぞれ形成してある。ファン５３を駆動すると、底壁に設けた下通気口５５から本体ケース１内に空気が取り込まれ、ヒートシンク４８を通過した熱交換後の空気が、後壁上部に設けた上通気口５４から本体ケース１外へ排出される。なお、ファン５３を逆方向に回転させて、上通気口５４から吸気し下通気口５５から排気することも可能である。
【００２８】
ペルチェ素子４５に駆動電流を供給してその前面を発熱させると、伝熱板４７を介して肌接触体２を加熱することができる。この場合はペルチェ素子４５の後面が吸熱面となり、冷熱がヒートシンク４８を介して空気中に放出される。ペルチェ素子４５に供給する駆動電流を逆向きにして、同素子４５の前面を吸熱面とすると、伝熱板４７を介して肌接触体２を冷却することができる。この場合はペルチェ素子４５の後面が発熱面となり、温熱がヒートシンク４８を介して空気中に放出される。このときファン５３を駆動することにより、ヒートシンク４８と空気の熱交換を促進することができる。
【００２９】
本実施例に係る肌接触体２は、肌面に微弱な肌刺激電流を供給する肌電極としても機能する。先述の制御基板１０には、パルス電流を生成する電流調整回路が実装してあり、当該回路と肌接触体２が電気的に接続してある。具体的には、電流調整回路から導出された不図示のリード線の導出端が、ペルチェユニット３の伝熱板４７の後面に接続してあり、電流調整回路で生成されたパルス電流がリード線と伝熱板４７を介して肌接触体２に供給される。リード線の導出端を伝熱板４７の後面に接続したのは、肌接触体２を装着部１７から取り外した際に、リード線を本体ケース１の外面に露出させないためである。本体ケース１の後面下部には、肌接触体２とは逆の極性のパルス電流が供給されるグリップ電極５８が露出させてあり、このグリップ電極５８と制御基板１０の電流調整回路も不図示のリード線で接続してある。
【００３０】
図３に示すように本体ケース１には、上通気口５４に正対する状態でイオン発生器５９が内蔵されている。イオン発生器５９は、針状の放電電極６０と、放電電極６０の周囲を囲むリング状の対向電極６１とを備え、両電極６０・６１の間に高電圧が印加されると、コロナ放電によって放電電極６０から電子が放出されるよう構成したものである。放出された電子は、その空間に存在する酸素分子と結合してイオン種（負または正の電荷を帯びた分子種）となり、このイオン種に水分子が結合すればイオン（マイナスイオンまたはプラスイオン）となる。このイオンには髪や肌に付着してその水分量を増やす効果がある。イオンはファン５３により生起された風に乗って上通気口５４から本体ケース１外へ放出される。上通気口５４に装着されるフィルタは、イオンの放出を阻害しないよう、その網目は比較的大きく形成されている。その一方で網目は、手指の太さよりは小さく形成されているため、指先が誤ってイオン発生器５９やファン５３に触れることをフィルタで防止することができ、従って美容器具の安全性は確保されている。
【００３１】
本実施例に係る美容器具は、電源スイッチ１１の一度の操作により駆動を開始し、同スイッチ１１の再度の操作により停止する。具体的には、図５に示すように、美容器具の停止状態で電源スイッチ１１が押圧操作されると、制御基板１０からペルチェ素子４５とファン５３とイオン発生器５９に駆動電流が供給され、また肌接触体２とグリップ電極５８にパルス電流が供給される。美容器具の駆動状態で電源スイッチ１１が押圧操作されると、上記の全ての駆動電流とパルス電流の供給が停止される。また、本実施例に係る美容器具は、肌接触体２を加熱する「温熱モード」、肌接触体２を冷却する「冷熱モード」、肌接触体２をマイナスに帯電させる「イオン導入モード」、および、肌接触体２をプラスに帯電させる「イオン導出モード」による運転が可能であり、ユーザは温熱モードと冷熱モードの一方を選択し、またイオン導入モードとイオン導出モードの一方を選択することができる。具体的には、モード切替スイッチ１２の押圧操作により、運転モードを「温熱・イオン導入モード」「冷熱・イオン導入モード」「温熱・イオン導出モード」および「冷熱・イオン導出モード」の順で切り替えることができる。表示部１３を構成する４個のＬＥＤは、上から順に、温熱モード、冷熱モード、イオン導入モード、イオン導出モードを示しており、選択された運転モードに応じた２個のＬＥＤが点灯するようになっている。
【００３２】
温熱・イオン導入モードにおいては、制御基板１０からペルチェ素子４５とファン５３とイオン発生器５９に駆動電流が供給され、また肌接触体２にマイナス極性のパルス電流が供給され、グリップ電極５８にプラス極性のパルス電流が供給される（図５参照）。この運転モードでは、ペルチェ素子４５の前面が発熱面となり、温熱が伝熱板４７を介して肌接触体２に伝導する。ペルチェ素子４５の後面（吸熱面）から発生する冷熱は、ヒートシンク４８に伝導し、ファン５３が生成する熱交換風によって空気中に放出される。肌接触体２においては、温熱がまず受熱面３２から伝熱壁３１に伝導し、次いで受熱体２８の前部、ボール２９、およびボールカバー３０に温熱が伝導する。
【００３３】
本体ケース１の下半部を握り、加熱された肌接触体２の前面を肌面に押し当て、肌面に沿って往復動させると、ボール２９が肌面上で転動して、肌面に圧刺激と温熱刺激を付与することができ、同時に、ボール２９の周囲の肌刺激面４２・４３で肌面を擦って、肌面に圧刺激と温熱刺激を付与することができる。さらに、肌接触体２に供給されるマイナス極性のパルス電流によって、肌面に電流刺激を付与することができる。肌面への電流刺激は、ボール２９の表面と肌刺激面４２・４３から肌面に電流が供給されることにより行われる。化粧水などの美容用液を肌面に塗布しておけば、美容用液を肌面に浸透させて保湿効果を高めることができる。
【００３４】
一方、イオン発生器５９の周囲の空気はヒートシンク４８により冷却されて、室温よりも低温の空気となる。この空気は周囲と比べて相対湿度が高く、空気中に占める水分子の割合が大きい。つまり、イオン発生器５９の周囲で生じたイオン種が水分子と結合しやすく、従ってイオンが長時間にわたって消滅し難い。生成したイオンは、上通気口５４から本体ケース１の外へ室温よりも低温の風で運ばれる。低温の風でイオンを運ぶと、イオンの熱運動エネルギーを小さくして、イオンを構成する水分子が離散するのを可及的に防止できるので、長時間にわたってイオンの消滅を防止することができる。これにより、イオンの到達距離が長くなり、より多くのイオンを髪や肌に付着させることができる。このイオンで美容対象（肌、髪、頭皮など）をケアする（水分量を増やす）場合は、グリップ兼用の本体ケース１を持ち替えて、上通気口５４を美容対象に正対させるとよい。
【００３５】
冷熱・イオン導入モードにおいては、ペルチェ素子４５に供給される電流が、先述の温熱・イオン導入モードとは逆向きになり、同素子４５の前面が吸熱面となって肌接触体２が冷却される。この肌接触体２の前面を肌面に押し当て、肌面に沿って往復動させると、ボール２９と肌刺激面４２・４３による圧刺激と冷熱刺激を肌面に付与することができる。ペルチェ素子４５の後面（発熱面）から発生する温熱は、ヒートシンク４８に伝導し、ファン５３が生成する熱交換風によって空気中に放出される。ヒートシンク４８を通過し上通気口５４から吹き出す熱交換風は、室温よりも高温の空気であり、温熱・イオン導入モードの場合と同様にイオンを含む。従って、上通気口５４を美容対象（肌、髪、頭皮など）に正対させて美容器具を駆動すると、美容対象に温熱刺激を付与しながらこれをケアする（水分量を増やす）ことができる。その他の点は温熱・イオン導入モードと同じである。
【００３６】
温熱・イオン導出モードにおいては、肌接触体２とグリップ電極５８に供給されるパルス電流が、先述の温熱・イオン導入モードとは逆向きになる。すなわち、肌接触体２にプラス極性のパルス電流が供給され、グリップ電極５８にマイナス極性のパルス電流が供給される。プラス極性のパルス電流を肌接触体２に供給すると、肌面に電流刺激を付与するとともに、肌面の毛穴などに入り込んでいる微細な汚れを吸着することができる。加えて、肌接触体２を押し当てることでプラスに帯電した肌面に対して、イオン発生器５９によって生成されたマイナスイオンが誘引される。イオン発生器５９で生成されたマイナスイオンは、熱交換風に乗って上通気口５４から本体ケース１外へ放出されてから、肌面に向かって形成される電気力線に沿って肌面に誘引される。その他の点は温熱・イオン導入モードと同じである。冷熱・イオン導出モードの説明は省略する。温熱・イオン導出モードおよび冷熱・イオン導出モードにおいても、先の温熱・イオン導入モードと同様に、水分量を増やす効果を有するイオンがイオン発生器５９の周囲で生成されて、上通気口５４から放出される。ただし、イオン導出モードにおいては、プラスに帯電した肌面にマイナスイオンが誘引されるため、必ずしも本体ケース１を持ち替えて上通気口５４を正対させる必要は無い。
【００３７】
以上のように、本実施例に係る美容器具によれば、ボール２９を肌面上で転動させて圧刺激を付与するのに併行して、ボール２９から肌面に熱刺激（温熱刺激または冷熱刺激）を付与することができ、同時に、ボール２９の周囲の肌刺激面４２・４３で肌面を擦って、肌面に圧刺激と熱刺激を付与することができる。さらに、肌接触体２に供給されるパルス電流によって肌面に電流刺激を付与するとともに、イオン導入またはイオン導出の美容処理を行うことができる。このように、本実施例に係る美容器具によれば、肌面に圧刺激のみを付与する従来の美容器具に比べて多様な刺激を付与することができ、従って、美容処理を効果的に行うことができる。本実施例では、熱源としてペルチェユニット３を用いたが、これに換えて温熱のみを受熱体２８に供給するＰＴＣヒータを適用してもよい。
【００３８】
（第２の提案例）  図６および図７は、第２の提案例に係る美容器具を示しており、肌接触体２の構造が第１の提案例と異なる。本提案例では、第１の提案例のボールカバー３０に代えて上下一対の蓋６２・６３を用意し、これら蓋６２・６３と受熱体２８および６個のボール２９で肌接触体２を構成した。受熱体２８の前面には、左右一対の縦長の収容凹部３５が設けてあり、各収容凹部３５にボール２９が３個ずつ収容してある。受熱体２８および収容凹部３５は、ボール２９の直径Ｒの３倍に等しい上下寸法を有する。各収容凹部３５の内奥面には、縦長の溝からなるボール保持凹部３８が設けてある。受熱体２８は押出成形品からなり、収容凹部３５およびボール保持凹部３８は受熱体２８の上下方向の全長にわたって形成してある。収容凹部３５の前端には、縦長矩形状のボール窓６４が形成してあり、各ボール２９の前端部がボール窓６４から外方へ露出している。ボール窓６４の左右幅はボール２９の直径Ｒよりも小さく設定してあるため、各ボール２９がボール窓６４から前方へ抜け出すことはない。
【００３９】
受熱体２８の上下面には、収容凹部３５にボール２９を挿入するための挿入口６５がそれぞれ形成してある。各収容凹部３５に挿入口６５から３個のボール２９を挿入し、蓋６２・６３を受熱体２８の上下面に固定して挿入口６５を塞ぐと、各収容凹部３５にボール２９を封入して、本実施例に係る肌接触体２を得ることができる。各蓋６２・６３の内面（受熱体２８と正対する面）には、蓋６２・６３を受熱体２８に固定するための左右一対の固定突起６６が突設してあり、受熱体２８の左右側面には、固定突起６６が嵌入される縦長の嵌入溝６７が形成してある。装着部１７の突条１９と係合する挿入溝２０は、受熱体２８の左右側面に形成される長溝２０ａと、各蓋６２・６３の左右端部に形成される短溝２０ｂとで構成される。嵌入溝６７および長溝２０ａも、受熱体２８の上下方向の全長にわたって形成してある。ロック具２１と係合する段部２４は、上側の蓋６２の後面の上隅に形成してある。
【００４０】
図６（ａ）に示すように各ボール２９は、上下に隣接するボール２９と当接する状態で収容凹部３５に収容されており、上下３個のボール２９が上下一対の蓋６２・６３で上下から挟まれることにより、各ボール２９の受熱体２８に対する上下方向の遊動が規制されている。また、各ボール２９の前部の左右２個所がボール窓６４の縁に当接（点接触）し、同後部の左右２個所がボール保持凹部３８の縁に当接（点接触）することにより、各ボール２９の受熱体２８に対する水平方向（前後方向および左右方向）の遊動が規制されている。各ボール２９は、全方向の自転のみ可能な状態で、収容凹部３５に収容されている。上下一対の蓋６２・６３は、各ボール２９を圧迫してその自転を妨げない程度の力でボール２９に当接している。このとき、受熱体２８からボール２９へは、左右２つの点接触の部位にて熱伝導により熱を移動できるため、１つの点接触部位から熱移動する場合に比べて、熱伝導効率を向上できる。ボール保持凹部３８の底に収容凹部３５に沿って１本の縦長のリブを設け、ボール２９の後部を３つの点で点接触状に支持してもよい。他は第１の提案例と同じであるので、同じ部材に同じ符号を付してその説明を省略する。
【００４１】
本提案例の変形例として、少なくとも一方の蓋６２・６３の内面に、ボール２９に当接する上下方向の規制突起を突設し、当該突起によりボール２９の上下方向の遊動を規制することができる。この場合の受熱体２８および収容凹部３５は、ボール２９の直径Ｒの３倍よりも大きい上下寸法を有する。蓋６２・６３の内面にボール２９を直接当接させる形態では、蓋６２・６３が経年的に外凸状に湾曲変形した場合に、ボール２９が蓋６２・６３に面接触して摺動抵抗が大きくなることがあるが、規制突起をボール２９に当接させる形態では、蓋６２・６３が外凸状に湾曲変形した場合でも、ボール２９は規制突起に対して点接触するので、ボール２９の摺動抵抗が大きくなることは無い。
【００４２】
（第３の提案例）  図８および図９は、第３の提案例に係る美容器具を示しており、肌接触体２の構造が第２の提案例と少し異なる。具体的には、受熱体２８の下面にのみ挿入口６５を形成し、挿入口６５を塞ぐ蓋６３を受熱体２８の下面にのみ固定した。また、各収容凹部３５の横断面をボール２９よりも僅かに大径の優弧状に形成して、各ボール２９の収容凹部３５内における若干の遊動を許容するようにした。ただし、ボール窓６４の左右幅はボール２９の直径Ｒよりも小さく設定してあるため、各ボール２９がボール窓６４から前方へ抜け出すことはない。ボール２９と収容凹部３５の径を異ならせると、ボール２９の表面と収容凹部３５の壁面を点接触の状態として、ボール２９が遊転するときの摺動抵抗を小さくすることができる。第２の提案例に係るボール保持凹部３８は省略した。他は第２の提案例と同じであるので、同じ部材に同じ符号を付してその説明を省略する。
【００４３】
本提案例に係る受熱体２８は、例えば金属ブロックの切削加工により作製することができる。具体的にはまず、金属ブロックの左右側面に嵌入溝６７と長溝２０ａを形成し、次いで、金属ブロックの下面から上方へ、収容凹部３５となる円筒状の穴を非貫通状に形成し、最後に金属ブロックの前面を、円筒状の穴の周面の一部を含めて削り取る。
【００４４】
（第４の提案例）  図１０は、第４の提案例に係る美容器具を示しており、肌接触体２の受熱体２８およびペルチェユニット３の伝熱板４７の構造が第１の提案例と異なる。具体的には、伝熱板４７の前面に横断面が等脚台形状の伝熱凸部７０を突設し、受熱体２８の後面に伝熱凸部７０と係合する伝熱凹部７１を形成して、受熱面３２と熱供給面４９を凹凸面で構成した。受熱面３２と熱供給面４９を凹凸面で構成すると、両面３２・４９を平坦面とする場合に比べて、受熱体２８と伝熱板４７の伝熱面積を大きくすることができるので、伝熱板４７から受熱体２８、すなわちペルチェユニット３から肌接触体２への熱伝導効率を向上することができる。他は第１の提案例と同じであるので、同じ部材に同じ符号を付してその説明を省略する。
【００４５】
本提案例において、台形状の伝熱凸部７０の斜辺部分は、伝熱凹部７１の壁面と僅かな隙間を介して対向しており、伝熱凸部７０のその他の部分は伝熱凹部７１に密着している。斜辺部分では、伝熱凸部７０の熱が空気層を介して伝熱凹部７１に伝導しており、先に説明した伝熱面積は空気層を介した伝熱面の面積を含んでいる。伝熱凸部７０と伝熱凹部７１は、本提案例のように一部の面のみが互いに密着していてもよく、全面が隙間を介して対向していてもよく、全面が互いに密着していてもよい。伝熱凸部７０と伝熱凹部７１の全面を隙間無く密着させると、伝熱板４７から受熱体２８への熱伝導効率をより向上することができる。本提案例の変形例として、伝熱板４７に伝熱凹部７１を形成し、受熱体２８に伝熱凸部７０を形成することができる。また、伝熱板４７と受熱体２８に伝熱凸部７０と伝熱凹部７１を交互に形成することができる。伝熱凸部７０と伝熱凹部７１の断面形状は台形などの多角形状に限られず、半円形状や弓形状などの湾曲線を含む形状であってもよい。
【００４６】
（第５の提案例）  図１１は、第５の提案例に係る美容器具を示しており、主に肌接触体２の構造が第１の提案例と異なる。本提案例では、肌接触体２の構成要素として、受熱体２８を前後移動可能に支持する支持体７４と、両者２８・７４の間に設けられる複数個のばね（弾性体）７５とを加えた。支持体７４は、受熱体２８の上下面および左右面を取り囲む矩形枠状に形成されており、支持体７４を装着部１７の装填溝１８に対して上面開口から出し入れすることにより、支持体７４を含む肌接触体２の全体を本体ケース１に着脱することができる。支持体７４の左右壁の外面には係合片７６がそれぞれ突設してあり、装填溝１８の左右対向面の前端には保持壁７７がそれぞれ内向きに突設してある。肌接触体２の装着状態においては、各係合片７６が保持壁７７で前方から受け止められるとともに、支持体７４の後端が本体ケース１の伝熱窓５の周囲壁で受け止められることにより、支持体７４の本体ケース１に対する前後動が規制される。
【００４７】
受熱体２８は、支持体７４に対して前後動可能に組み付けられて、ばね７５により後方へ移動付勢されている。具体的には、受熱体２８の左右側面に、ばね７５を収容するばね凹部７８が形成してあり、支持体７４の左右壁の内面に、ばね凹部７８内に収容されるばね座７９が突設してある。ばね座７９とばね凹部７８の後面との間にばね７５が配置されて、受熱体２８を支持体７４に対して後方へ、すなわちペルチェユニット３の伝熱板４７へ向かって密着付勢している。伝熱板４７は伝熱窓５の周縁部に係止されており、これにより本体ケース１に対するペルチェユニット３の相対移動が規制されている。先の第１の提案例でペルチェユニット３を前方へ付勢していたばね６は省略した。他は第１の提案例と同じであるので、同じ部材に同じ符号を付してその説明を省略する。本提案例のようにペルチェユニット３を本体ケース１に固定すると、ペルチェユニット３が破損することや、ペルチェユニット３と電装品ユニット４の制御基板１０との間で導通不良が生じることなどをよく防止できる。
【００４８】
（第６の提案例）  図１２は、第６の提案例に係る美容器具を示しており、肌接触体２とペルチェユニット３の間に設けたねじ構造を介して肌接触体２を着脱する点が第１の提案例と異なる。ねじ構造は、肌接触体２の受熱体２８に設けたねじ穴８２と、ペルチェユニット３の伝熱板４７に設けたねじ軸８３とで構成される。具体的には受熱体２８は、前後方向を中心軸方向とする円盤状に形成してあり、その後面中央にねじ穴８２が形成してある。受熱体２８の前面中央には、１個のボール２９を収容する収容凹部３５が、ねじ穴８２と前後に連通するように形成されている。
【００４９】
ねじ穴８２と螺合するねじ軸８３は、伝熱板４７の前面中央に突設してある。伝熱板４７は、先の第５の提案例と同様に伝熱窓５の周縁部に係止されており、これにより本体ケース１に対するペルチェユニット３の相対移動が規制されている。本体ケース１の装着部１７は前方へ開口する円筒壁からなり、装着部１７の内径は受熱体２８の外径よりも僅かに大きく形成してある。肌接触体２の後部を装着部１７に挿入し、ペルチェユニット３に対して時計回りに回転させると、ねじ穴８２にねじ軸８３をねじ込んで、肌接触体２を装着部１７に装着固定することができる。装着状態の肌接触体２を反時計回りに回転させると、ねじ穴８２からねじ軸８３を分離して、肌接触体２を装着部１７から取り外すことができる。
【００５０】
肌接触体２の装着状態において、ねじ軸８３の周面はねじ穴８２の周面に密着し、ねじ軸８３の先端面はボール２９の後端部と僅かな隙間を介して対向している。従って、ペルチェ素子４５から伝熱板４７を介してねじ軸８３に伝導した熱は、ねじ軸８３の周面からねじ穴８２の周面に伝導し、またねじ軸８３の先端面から空気を介してボール２９の表面に伝導する。ねじ軸８３とねじ穴８２は、先の第４の提案例で説明した伝熱凸部７０と伝熱凹部７１をそれぞれ兼ねている。また、ねじ軸８３の先端面とねじ穴８２で囲まれる空間が、ボール２９用のボール保持凹部３８を構成する。なお、伝熱板４７からねじ軸８３へ伝導する熱は、ペルチェ素子４５から伝熱板４７へ伝導した熱の一部のみであり、伝熱板４７へ伝導した熱の多くは伝熱板４７から受熱体２８へ伝導する。他は第１の提案例と同じであるので、同じ部材に同じ符号を付してその説明を省略する。本提案例においても、先の第５の提案例と同様にペルチェユニット３を本体ケース１に固定したので、ペルチェユニット３が破損することや、ペルチェユニット３と制御基板１０の間で導通不良が生じることなどをよく防止できる。
【００５１】
（第７の提案例）  図１３は、第７の提案例に係る美容器具を示しており、肌接触体２と装着部１７の間に設けたバヨネット構造を介して肌接触体２を着脱する点が第６の提案例と異なる。バヨネット構造は、肌接触体２の受熱体２８に設けた一対のバヨネット爪８６と、装着部１７に設けた環状のバヨネット壁８７とで構成される。詳しくは、バヨネット爪８６は、円盤状の受熱体２８の周面の対向位置にそれぞれ突設してある。バヨネット壁８７は、円筒壁からなる装着部１７の前端に内向きに形成してあり、その内周縁の対向位置に、バヨネット爪８６を前後に通過させるための溝８８がそれぞれ形成してある。
【００５２】
ペルチェユニット３は、先の第１の提案例と同様に、本体ケース１に対して前後移動可能に組み付けてあり、本体ケース１に組み込まれた左右一対のばね６で前方へ、すなわち肌接触体２へ向かって密着付勢してある。ペルチェユニット３の伝熱板４７の前面中央には、丸軸状の伝熱凸部７０が突設してあり、受熱体２８の後面中央には、伝熱凸部７０と係合する丸穴状の伝熱凹部７１が形成してある。伝熱凹部７１は収容凹部３５と前後に連通しており、伝熱凸部７０の先端面はボール２９の後端部と僅かな隙間を介して対向している。肌接触体２の装着状態において、伝熱凸部７０の先端面と伝熱凹部７１で囲まれる空間が、ボール２９用のボール保持凹部３８を構成する。
【００５３】
肌接触体２を装着部１７に装着するには、バヨネット爪８６と溝８８の周方向位置を合わせて、肌接触体２を前方から装着部１７の内部へ挿入し、バヨネット爪８６が溝８８を通り過ぎたところで、肌接触体２を一方へ回動させる。これにより、両バヨネット爪８６をバヨネット壁８７の後方に位置させて、肌接触体２の前方への抜け出しを規制することができる。肌接触体２を装着部１７から取り外すには、肌接触体２を装着時とは逆向きに回動させて、バヨネット爪８６と溝８８の周方向位置を合わせて、肌接触体２を装着部１７から前方へ引き抜く。
【００５４】
装着状態の肌接触体２は、装着部１７に対する前後移動が可能であり、常態においてはばね６でペルチェユニット３を介して前方へ付勢されて、両バヨネット爪８６がバヨネット壁８７で前方から受け止められる。つまり、肌接触体２がペルチェユニット３と一体にばね６でフロート支持されている。肌接触体２を前後フロートさせると、肌接触体２を肌面の凹凸に沿わせることが容易になり、これにより肌面への負荷やストレスを軽減することができる。他は第６の提案例と同じであるので、同じ部材に同じ符号を付してその説明を省略する。
【００５５】
（第８の提案例）  図１４ないし図１７は、第８の提案例に係る美容器具を示しており、肌接触体２とペルチェユニット３を含むアタッチメント９０を本体ケース１に対して着脱自在に装着する点が、第１の提案例と大きく異なる。電装品ユニット４は本体ケース１に収容されており、電装品ユニット４からペルチェユニット３への駆動電流の供給と、電装品ユニット４から肌接触体２へのパルス電流の供給とは、後述するコネクタ群９６・９７を介して行われる。
【００５６】
本提案例に係るアタッチメント９０Ａは、肌接触体２とペルチェユニット３が組み付けられる箱型のヘッドケース９１を備える。図１６に示すように、ヘッドケース９１の前壁にはヘッド開口９２が形成してあり、このヘッド開口９２から肌接触体２の前部が外方へ露出している。ペルチェユニット３は肌接触体２の後方に配置されて、その全体がヘッドケース９１に収容されている。ペルチェユニット３の伝熱板４７の前面（熱供給面４９）と、肌接触体２の受熱体２８の後面（受熱面３２）とは、前後に正対して互いに密着している。本実施例では、ペルチェユニット３を肌接触体２に固定することにより、両面４９・３２を確実に密着させて、伝熱板４７から受熱体２８への熱移動を良好に行えるようにした。ヒートシンク４８と前後に正対するヘッドケース９１の後壁には、網目状のフィルタを備えるヘッド通気口９３が形成してある。先の第１の提案例においてヒートシンク４８の後方に配置したファン５３は図示省略した。
【００５７】
ヘッドケース９１の下端部には、下向きに開口する四角筒状の装着凹部９４が形成してあり、本体ケース１の上端部には、装着凹部９４と係合可能な装着凸部９５が形成してある。装着凹部９４と装着凸部９５の上下に対向する壁面には、３個のコネクタ９６Ａ〜９６Ｃ・９７Ａ〜９７Ｃからなるコネクタ群９６・９７がそれぞれ設けられている。本提案例では、装着凹部９４側の各コネクタ９６Ａ〜９６Ｃを雄型とし、装着凸部９５側の各コネクタ９７Ａ〜９７Ｃを雌型とした。３対のうち２対のコネクタ９６Ａ・９７Ａ・９６Ｂ・９７Ｂは、ペルチェ素子４５と制御基板１０を電気的に接続し、残りの１対のコネクタ９６Ｃ・９７Ｃは、肌電極を兼ねる肌接触体２と制御基板１０（電流調整回路）を電気的に接続する（図１７参照）。パルス電流供給用のコネクタ９６Ｃから伸びるリード線１０６は伝熱板４７に接続してあり、パルス電流はリード線１０６から伝熱板４７を介して肌接触体２に供給される。肌接触体２においてパルス電流は、受熱体２８からボール２９を通じて肌面に供給され、あるいは受熱体２８からボールカバー３０を通じて肌面に供給され、あるいは受熱体２８の肌刺激面４２から肌面に供給される。ただしボールカバー３０は、先の第１の提案例で説明したように、コストやデザインを考慮してプラスチック材料で形成することができ、この場合のボールカバー３０には電流が流れないので、パルス電流は受熱体２８からボール２９を通じて、あるいは受熱体２８の肌刺激面４２から肌面に供給される。先の第１の提案例と同様に本体ケース１には肌接触体２とは逆の極性のパルス電流が供給されるグリップ電極５８が露出させてあり、このグリップ電極５８と制御基板１０の電流調整回路も不図示のリード線で接続してある。
【００５８】
装着凹部９４を装着凸部９５に外嵌すると、雄型の各コネクタ９６Ａ〜９６Ｃが、対応する雌型の各コネクタ９７Ａ〜９７Ｃに接続される。また、本体ケース１に組み込まれたロック具９８が、装着凸部９５の筒壁を外向きに貫通して、装着凹部９４の筒壁に設けられたロック穴９９に係合し、これにより本体ケース１に対するヘッドケース９１の装着状態が維持される。他は第１の提案例と同じであるので、同じ部材に同じ符号を付してその説明を省略する。
【００５９】
（第１実施例）  図１８ないし図２０は、本発明に係る美容器具の第１実施例を示す。本実施例に係るアタッチメント９０Ｂの肌接触体２は、ヘッドケース９１のヘッド開口９２の内側に配置される円盤状の受熱体２８と、受熱体２８の前面側に配置されてヘッド開口９２から外方へ露出するボールカバー３０と、受熱体２８とボールカバー３０の間に保持される３個のボール２９とで構成される。ボールカバー３０の前壁には、ボール２９よりも小径の３個のボール窓１０２が形成してあり、各ボール窓１０２からボール２９の前端部が前方へ突出している。つまり、ボール２９は、ボール窓１０２を介して同窓から突出した状態で外空間に露出している。
【００６０】
詳しくは、ボールカバー３０は後面が開口する丸皿状に形成してあり、開口端すなわち後端が受熱体２８の前面に密着している。これにより、受熱体２８からボールカバー３０への熱伝導が良好に行われる。肌接触体２を構成する受熱体２８とボール２９とボールカバー３０はそれぞれ、先の第１の提案例と同様に、熱伝導率の高い金属材料を素材として形成してある。ボールカバー３０の前面は肌刺激面４３を構成しており、受熱体２８からボールカバー３０に伝導した温熱あるいは冷熱の一部が肌刺激面４３から放出される。
【００６１】
受熱体２８には、３個のボール２９に対応して、ボール２９よりも小径の３個の貫通口１０３が形成してある。各貫通口１０３には、ボール２９を支持して前方（外方）のボール窓１０２へ向かってその弾性力により移動付勢するばね１０４が収容してある。各ばね１０４は、導電性を有する金属製のコイルばねからなり、その前後端はそれぞれリング状に形成してある。ばね１０４の後端のリング状部は伝熱板４７の前面で受け止めてある。ばね１０４の前端のリング状部は、ボール２９の後端部を受け入れる受座１０４ａを構成しており、ボール２９の後部の表面に常時、接触する状態、すなわち常時、線接触の状態でボール２９を支持する。ボール２９を肌面に押し当てボール２９がばね１０４の弾性力に抗して沈み込んだ状態では、ボール２９は受座１０４ａに対して接触しており、そのまま肌接触体２を移動させボール２９が肌面上を転動する際も、ボール２９は受座１０４ａに対して摺動しながら回転するためやはり接触している。さらにボール２９を肌面に押し当てない常態の際もボール２９は、ばね１０４により押圧されているので、ボール２９と受座１０４ａは接触している。リング状部（受座１０４ａ）はらせん状のコイルばねの端部から一周する円弧部分となっており、その円弧部分の大半（優弧）がボール２９にリング状に線接触する。これは、コイルばねはらせん状となっていることにより、リング状に線接触する部分は完全円が好ましいが完全円ではなく部分円となっているからである。線接触する部分が部分円であってもそれが完全円に近い線接触（優弧状接触）であり、さらにコイルばねの端部から一周あるいは２周する円弧部分の内側は、ボール２９を内方に向かって受入れる空間を有するので、ボール２９の後端部を受座１０４ａですっぽり収めることができ、受座１０４ａによるボール２９の支持が安定する。リング状とは真円に限らず、楕円などの非真円も含む概念であるが、本実施例ではリング状部を真円状に形成した。このようにボール２９の後端部がばね１０４の真円のリング状部（受座１０４ａ）にすっぽり収まるようにすると、ボール２９の姿勢をより安定させることができる。また、ばね１０４にリング状部を設けてボール２９を直接支持すると、ボール２９を支持するための部材をばね１０４との間に介在させる必要が無く、その分だけコストを削減することができる。
【００６２】
常態においてボール２９は、ボールカバー３０に設けたボール窓１０２の周縁（１０２ａ）で受け止められる。ボール２９が肌面等に当接して後方（内方）へ押し込まれると、貫通口１０３の前端に形成した前拡がりテーパー状の受座１０５で受け止められる。ボール２９を肌面に押し当てた際、ボール２９はばね１０４の弾性力に抗して沈み込み、受座１０５に摺接する。したがってボール２９を肌面に押し当てたまま移動すると、ボール２９の後面側（内面側）は受座１０５に対して摺動する。つまりボール２９は、常態における受座１０５との間の前後（内外）方向の隙間の分だけ前後にフロート動作（浮上、沈み込み動作）を行うことが可能である。このようにボール２９をフロート可能に支持すると、ボール２９を肌面に強く押し当てても内方へ沈み込ませることができるので、肌面に対するボール２９の接触感をソフトで優しいものとすることができる。また、ボール２９と受座１０５との間の前後（内外）方向の隙間をさらに大きくとるとフロート量を拡大できるので、ボール２９を肌面の凹凸に沿わせることが容易になり、これにより肌面への負荷やストレスを軽減することができる。この場合、フロート時にボール２９がフロート方向と直交する方向にブレないようにボールカバー３０にリブを設けてガイドすればフロート動作が安定する。なお、ボール窓１０２の径と受座１０５の径はほぼ同じ寸法である。受座１０５の径に比べてボール２９の径は大きい。ばね１０４の受座１０４の径に比べて受座１０５の径は大きい。
【００６３】
各ばね１０４は、伝熱板４７の熱をボール２９へ伝導する伝熱体として機能し、またパルス電流の供給体として機能する。各ばね１０４は、装着凹部９４に設けた１個のコネクタ９６Ｃから伸びるリード線１０６に接続してある。このコネクタ９６Ｃと対になる装着凸部９５側のコネクタ９７Ｃは、制御基板１０に実装されたパルス電流を生成する電流調整回路と電気的に接続してある。従って、制御基板１０の電流調整回路で生成されたパルス電流は、雌雄のコネクタ９７Ｃ・９６Ｃからリード線１０６とばね１０４を順に介して、肌電極を兼ねるボール２９に供給される。コネクタ９７Ｃ・９６Ｃ、リード線１０６およびばね１０４により電流供給ラインが構成される。先の第１の提案例と同様に本体ケース１には肌接触体２とは逆の極性のパルス電流が供給されるグリップ電極５８が露出させてあり、このグリップ電極５８と制御基板１０の電流調整回路も不図示のリード線で接続してある。これにより肌電極２とグリップ電極５８とが共同して肌面に電流を供給できる。ばね１０４は、自身の弾性によってボール２９に安定的に密着するから、このばね１０４を介してリード線１０６とボール２９を電気的に接続することにより、ボール２９とリード線１０６の間が通電不良に陥ることを確実に防止できる。上述したようにばね１０４のリング状部でボール２９を線接触状態で支持するので、両者２９・１０４の接触状態を安定させることができ、このことによってもボール２９とリード線１０６の間が通電不良に陥ることを確実に防止できる。両者２９・１０４の接触状態を安定させると、ばね１０４を介した伝熱板４７からボール２９への熱伝導も良好に行える。また、ボール２９がばね１０４のリング状部にすっぽり収まると、ボール２９が回転するにもかかわらず、ボール２９とばね１０４の接触状態を確実に維持して、通電不良に陥ることを防止することができる。ばね１０４は、金属製のコイルばねに換えて金属製のＺ字状の板状ばねであってもよい。その場合「Ｚ」の文字の一端側の平行部に貫通口を形成して座部１０４ａとし、これにボール２９の後端部を収めればよい。さらに、ばね１０４は、導電性を有する筒状のゴムまたはシリコンゴムであってもよい。この場合、筒端面に部分球体状の凹みを設けて座部１０４ａとし、これにボール２９の後端部を収めればよい。ただし、後者の場合、熱伝導性に難があるため、金属製のフィラーを多く混入する。つまり本発明の「ばね」とは、ばね性（弾性）を有する部材であればすべて含む概念である。
【００６４】
肌刺激面４３内において３個のボール２９の中心を結ぶ形状は正三角形になっており、隣接する２個のボール２９の間隔はそれぞれ同一である。本実施例の肌接触体２の前面を肌面に押し当て、肌面に沿って往復動させると、転動する各ボール２９によって肌面に圧刺激が付与されるのに加え、隣接する２個のボール２９で肌面がつままれることによっても肌面に圧刺激が付与される。他は第８の提案例と同じであるので、同じ部材に同じ符号を付してその説明を省略する。
【００６５】
本実施例の変形例として、４個のボール２９を、肌刺激面４３内に仮想した正方形の各頂点上に配置することができる。また、５個のボール２９を、肌刺激面４３内に仮想した正五角形の各頂点上に配置することもできる。さらに、６個のボール２９を、肌刺激面４３内に仮想した正六角形の各頂点上に配置することもできる。
【００６６】
（第２実施例）  図２１は、アタッチメント９０の構造を変更した本発明の第２実施例を示す。本実施例に係るアタッチメント９０Ｃは、肌接触体２におけるボール２９の配置が第１実施例のアタッチメント９０Ｂと異なる。具体的には、４個のボール２９の中心を結ぶ形状が台形となるように各ボール２９を配置した。この台形は、上底が下底よりも長い等脚台形である。隣接する２個のボール２９の間隔を比較すると、下底の両端に配置した２個のボール２９の間隔（第１間隔）が最も短く、次いで、斜辺部の両端に配置した２個のボール２９の間隔（第２間隔）が短く、上底の両端に配置した２個のボール２９の間隔（第３間隔）が最も長い。
【００６７】
第１間隔で隣接する２個のボール２９によれば、肌面を比較的強くつまむことができ、第２間隔で隣接する２個のボール２９によれば、それよりも弱い力で肌面をつまむことができ、第３間隔で隣接する２個のボール２９によれば、さらに弱い力で肌面をつまむことができる。つまり、強さの異なる複数の圧刺激を肌面に付与することが可能となる。他は第１実施例と同じであるので、同じ部材に同じ符号を付してその説明を省略する。
【００６８】
第１および第２実施例では、図１８および図２１に示すように、肌接触体２の前面においてボール２９を分散配置し、ボール２９の露出部分の前面投影面積の総和を、肌刺激面４３の面積よりも十分に小さく設定した。ボール２９が肌面に付与する圧刺激は比較的大きいため、両提案例のようにボール２９が密集するのを避けることにより、肌接触体２の全体が肌面に付与する圧刺激を強過ぎない適度なものにすることができる。
【００６９】
上記実施例に係る美容器具は以下の態様で実施することができる。
美容器具は、本体ケース１と、肌面上を転動可能な転動体２９を含む肌接触体２とを備えており、転動体２９が、遊転自在に支持されるボール２９で構成してある。ボール２９は、ボール窓１０２を介して外空間に露出している。ボール２９をボール窓１０２へ向かって移動付勢するばね１０４が設けられている。ボール２９が肌面に電流を供給する肌電極を兼ねており、ばね１０４を介してボール２９に電流が供給される。
このように、転動体２９を遊転自在なボール２９で構成しているので、肌面に圧刺激を付与することができる。このとき、肌面上をボール２９が滑らかに回転するので、肌接触体２の移動が容易となる。ボール２９をボール窓１０２へ向かってばね１０４で移動付勢しているので、ボール２９のフロート動作が可能となり、肌面に対するボール２９の接触感をソフトで優しいものとすることができる。ボール２９が肌面に電流を供給する肌電極を兼ねていることにより、肌面に圧刺激に加えて電流刺激を付与することができる。本発明において電流刺激とは、微弱電流による刺激のみに限らず、イオン導入処理とイオン導出処理を含み、さらに、イオン導入処理時やイオン導出処理時よりも高い電圧に設定して行う筋肉の電流刺激なども含む概念である。ボール２９にはばね１０４を介して電流が供給されるため、電流供給ラインの断線による導通不良を確実に防止できる。
【００７０】
上記美容器具において、ボール２９に対してばね１０４を直接接触させてあり、ばね１０４のボール２９に接触させている側をリング状に形成してボール２９を受け入れる受座１０４ａを構成している。
このように、ボール２９に対してばね１０４を直接接触させてあり、ばね１０４のボール２９に接触させている側をリング状に形成してボール２９を受け入れる受座１０４ａを構成していると、受座１０４によりボール２９の姿勢を安定させることができる。また、ボール２９に対してばね１０４を直接接触させて支持すると、ボール２９を支持するための部材をばね１０４との間に介在させる必要が無く、その分だけコストを削減することができる。
【００７１】
上記美容器具において、ボール２９を加熱または冷却する熱源３を備えており、ばね１０４が、熱源３の熱をボール２９に伝導する伝熱体を兼ねている。
このように、ボール２９を加熱または冷却する熱源３を備えており、ばね１０４が、熱源３の熱をボール２９に伝導する伝熱体を兼ねていると、圧刺激、電流刺激に加えて熱刺激を肌面に付与することができる。
【００７２】
ボール２９が、受熱体２８に形成した受座１０５で遊転自在に支持されている。熱源３の熱は受熱体２８に伝導するよう構成されている。ボール２９を肌面に押し当てた際、ボール２９はばね１０４の弾性力に抗して沈み込み、受座１０５に摺接する。
このように、ボール２９を肌面に押し当てた際、ボール２９はばね１０４の弾性力に抗して沈み込み、受熱体２８の受座１０５に摺接することにより、ばね１０４からの熱移動に加えて受座１０５からも熱が伝導するため、ボール２９の加熱が促進される。
【００７３】
さらに上記提案例および実施例に係る美容器具は、以下の態様で実施することができる。
美容器具は、本体ケース１と、肌面上を転動可能な転動体２９・１０９を含む肌接触体２と、肌接触体２の少なくとも一部を加熱または冷却する熱源３・１１１を備えており、肌接触体２が本体ケース１に対して着脱可能に設けてある。肌接触体２のうち肌面に熱刺激を付与する部分は、転動体２９・１０９と後述の肌刺激面４２・４３の一方であってもよく、また両方であってもよい。
これにより、肌面上で転動体２９・１０９を転動させて圧刺激を付与するのに併行して、熱源３・１１１で加熱または冷却した肌接触体２を肌面に押し当てて、肌面に熱刺激（温熱刺激または冷熱刺激）を付与することができる。肌面に圧刺激のみを付与する従来の美容器具に比べて多様な刺激を付与することができ、従って、美容処理を効果的に行うことができる。
【００７４】
上記美容器具において、肌接触体２が、熱源３に対して受熱面３２を介して密着配置される受熱体２８を含む。転動体を、受熱体２８で全方向に遊転自在に支持したボール２９で構成する。
このように、転動体としてのボール２９を受熱体２８で支持すると、熱源３からの熱を受熱体２８を介してボール２９へ伝導させて、ボール２９を加熱または冷却することができる。このボール２９を肌面上で転動させることにより、ボール２９で圧刺激と熱刺激を同時に与えることができる。圧刺激と熱刺激の付与体を同一とすることにより、肌面の１個所に２つの刺激を同時にピンポイントで付与することが可能となる。また、ボール２９を全方向に遊転自在とすると、受熱体２８からボール２９に伝わった熱を肌面に対してムラなく伝えることができる。なお、ボール２９を１本の自転軸のまわりにのみ回転させる場合は、ボール２９の極やその近傍を肌面に触れさせて、当該部分の熱を肌面に伝えることが難しくなる。
【００７５】
上記美容器具において、受熱体２８の外面に、肌面に熱刺激を付与する肌刺激面４２を設ける。ボール２９と肌刺激面４２で肌面に熱刺激を付与する。
このように、受熱体２８の外面に肌刺激面４２を設け、ボール２９と肌刺激面４２で肌面に熱刺激を付与すると、肌面上でボール２９を転動させることによる圧刺激と、肌面を肌刺激面４２で擦ることによる圧刺激とを付与することができ、肌面に付与する圧刺激を多様化することができる。
【００７６】
上記美容器具において、ボール２９を、受熱体２８に形成した収容凹部３５に遊転自在に収容する。収容凹部３５の内奥に、ボール２９を遊転自在に支持するボール保持凹部３８を設ける。ボール保持凹部３８は、ボール２９の表面に対して点接触状あるいは線接触状に接触する。
このように、受熱体２８に形成した収容凹部３５の内奥に、ボール２９を遊転自在に支持するボール保持凹部３８を設け、同凹部３８をボール２９の表面に対して点接触状あるいは線接触状に接触させると、ボール２９が遊転するときの摺動抵抗を減少させて、肌面上でボール２９を滑らかに転動させることができる。
【００７７】
上記美容器具において、図４に示すように、ボール保持凹部３８の深さ寸法Ｔ１を、ボール２９の直径Ｒの半分未満に設定する。
このように、ボール保持凹部３８の深さ寸法Ｔ１を、ボール２９の直径Ｒの半分未満に設定すると、ボール保持凹部３８の壁面とボール２９の表面の間隔を小さくして、その間に介在する空気の層を薄くすることができるので、ボール保持凹部３８の壁面からボール２９への熱伝導効率を向上することができる。
【００７８】
上記美容器具において、受熱体２８の前面に収容凹部３５を形成する。受熱体２８の後面は熱源３に正対する受熱面３２を構成する。受熱面３２から収容凹部３５の内奥面までの前後方向の距離Ｔ３を、ボール２９の直径Ｒよりも小さく設定する。
このように、受熱面３２から収容凹部３５の内奥面までの前後方向の距離Ｔ３を、ボール２９の直径Ｒよりも小さく設定すると、受熱面３２と収容凹部３５の内奥面とで挟まれる伝熱壁３１を薄型化して、受熱体２８を軽量化できるとともに、熱源３の熱を収容凹部３５の内奥面まで素早く伝えることができる。
【００７９】
上記美容器具において、受熱体２８の前面に収容凹部３５を形成する。受熱体２８の後面は熱源３に正対する受熱面３２を構成する。ボール保持凹部３８の深さ寸法Ｔ１を、受熱面３２からボール保持凹部３８の内奥面までの前後方向の距離Ｔ２よりも小さく設定する。  
このように、ボール保持凹部３８の深さ寸法Ｔ１を、受熱面３２からボール保持凹部３８の内奥面までの距離Ｔ２よりも小さく設定すると、ボール保持凹部３８の壁面とボール２９の表面の間隔を小さくして、その間に介在する空気の層を薄くすることができるので、ボール保持凹部３８の壁面からボール２９への熱伝導効率を向上することができる。
【００８０】
上記美容器具において、ボール２９の後部に臨む収容凹部３５の内奥隅部を部分球面状に形成する。
このように、収容凹部３５の内奥隅部を部分球面状に形成すると、収容凹部３５の内奥隅部とボール２９の表面の間隔を小さくして、その間に介在する空気の層を薄くすることができるので、収容凹部３５の内奥隅部からボール２９への熱伝導効率を向上することができる。
【００８１】
上記美容器具において、ボール保持凹部３８の内奥隅部を部分球面状に形成する。
このように、ボール保持凹部３８の内奥隅部を部分球面状に形成すると、ボール保持凹部３８の内奥隅部とボール２９の表面の間隔を小さくして、その間に介在する空気の層を薄くすることができるので、ボール保持凹部３８の内奥隅部からボール２９への熱伝導効率を向上することができる。
【００８２】
上記美容器具において、図６ないし図９に示すように、ボール２９を遊転自在に収容する収容凹部３５を受熱体２８に形成する。収容凹部３５は、ボール２９の直径Ｒよりも幅狭のボール窓６４と、ボール２９を挿入するための挿入口６５を備える。収容凹部３５に装填されたボール２９の一部は、ボール窓６４から受熱体２８の外面に露出する。受熱体２８に固定した蓋６２・６３で挿入口６５を塞いで、ボール２９を収容凹部３５に封入する。
このように、幅狭のボール窓６４と挿入口６５を備える収容凹部３５を受熱体２８に形成し、挿入口６５を塞ぐ蓋６２・６３でボール２９を収容凹部３５に封入すると、ボール２９がボール窓６４あるいは挿入口６５から抜け出すことを確実に防止できる。また、受熱体２８の構造を簡素化しながら、ボール２９を精度よく支持できる。
【００８３】
上記美容器具において、図１に示すように、本体ケース１に熱源３と、熱源３の駆動状態を制御する電装品ユニット４を組み込む。電装品ユニット４は、内部に電源を含むものであってもよく、外部の商用電源などから駆動電流の供給を受けるものであってもよい。
このように、熱源３および電装品ユニット４を本体ケース１に組み込むと、肌接触体２を本体ケース１から取り外した際に、肌接触体２を熱源３および電装品ユニット４から分離できるので、肌接触体２の水洗いを可能として、肌接触体２の洗浄作業を容易化できる。
【００８４】
上記美容器具において、図３および図１１に示すように熱源３に、受熱体２８の受熱面３２と前後に正対する熱供給面４９を設ける。受熱面３２と熱供給面４９を弾性体６・７５で密着付勢する。
このように、肌接触体２の受熱面３２と熱源３の熱供給面４９を弾性体６・７５で密着付勢すると、熱源３から肌接触体２への熱伝導効率を向上することができる。
【００８５】
上記美容器具において、図３に示すように熱源３を、本体ケース１に対して前後移動可能に組み付け、本体ケース１に組み込まれた弾性体６によって肌接触体２へ向かって密着付勢する。
このように、熱源３を肌接触体２へ向かって密着付勢する弾性体６を本体ケース１に組み込むと、肌接触体２の構造を簡素化して、本体ケース１から分離した状態の肌接触体２の取扱いを容易化することができる。
【００８６】
上記美容器具において、図１１に示すように肌接触体２は、受熱体２８と、本体ケース１に装着されて受熱体２８を前後移動可能に支持する支持体７４とを含む。受熱体２８と支持体７４の間に、受熱体２８を熱源３へ向かって密着付勢する弾性体７５を設ける。
このように、受熱体２８を熱源３へ向かって密着付勢する弾性体７５を肌接触体２の側に設けると、本体ケース１に対する熱源３の組付構造を簡素化して、その分だけコストを削減することができる。特に、熱源３を本体ケース１に固定すると、熱源３が破損することや、電装品ユニット４との間で導通不良が生じることなどをよく防止できる。
【００８７】
上記美容器具において、図１０、図１２および図１３に示すように、熱源３と肌接触体２の接触面に、互いに係合する伝熱凸部７０と伝熱凹部７１を設ける。
このように、熱源３と肌接触体２の接触面に、互いに係合する伝熱凸部７０と伝熱凹部７１を設けると、当該接触面を平坦面とする場合に比べて、熱源３と肌接触体２の伝熱面積を大きくすることができるので、熱源３から肌接触体２への熱伝導効率を向上することができる。
【００８８】
上記美容器具において、図１５に示すように、熱源３を受熱体２８に固定する。本体ケース１に、熱源３の駆動状態を制御する電装品ユニット４を組み込む。
このように、肌接触体２の受熱体２８に熱源３を固定すると、受熱体２８と熱源３を確実に密着させて、熱源３から受熱体２８への熱移動を良好に行える。
【００８９】
上記美容器具において、図５および図１７に示すように、肌接触体２は肌電極を兼ねる。グリップを兼ねる本体ケース１の外面にグリップ電極５８を設ける。肌接触体２とグリップ電極５８で肌面に電流を供給する。
このように、肌電極を兼ねる肌接触体２と、本体ケース１に設けたグリップ電極５８とで、人体を介して肌面に電流を供給すると、肌面に圧刺激と熱刺激に加えて電流刺激を付与でき、肌面に対してより多様で効果的な美容処理を行うことができる。本発明において電流刺激とは、微弱電流による刺激のみに限らず、イオン導入処理とイオン導出処理を含み、さらに、イオン導入処理時やイオン導出処理時よりも高い電圧に設定して行う筋肉の電流刺激なども含む概念である。
【００９０】
上記美容器具において、ボール２９は肌電極を兼ねる。電流は受熱体２８を介してボール２９に供給する。
このように、ボール２９が肌電極を兼ねるようにすると、ボール２９とは別に肌電極を設ける場合に比べて肌接触体２を簡素化して、その分だけコストを削減することができる。
【００９１】
上記美容器具において、図１９および図２０に示すように、ボール２９は肌電極を兼ねる。受熱体２８に形成された貫通口１０３に、ボール２９をボール窓１０２へ向かって移動付勢するばね１０４を収容する。ボール２９と電流を供給するリード線１０６を、ばね１０４を介して電気的に接続する。
このように、ボール２９をボール窓１０２へ向かって移動付勢するばね１０４は、自身の弾性によってボール２９に安定的に密着するから、このばね１０４を介してボール２９とリード線１０６を電気的に接続することにより、ボール２９とリード線１０６の間が通電不良に陥ることを確実に防止できる。
【００９２】
上記美容器具において、ばね１０４の一端を熱源３の伝熱板４７で受け止める。
このように、ばね１０４の一端を熱源３の伝熱板４７で受け止めると、ばね１０４の他端でボール２９を安定的に支持することができる。また、伝熱板４７からばね１０４を介してボール２９に熱を供給して、ボール２９を加熱あるいは冷却することができるので、ばね１０４とは別に伝熱構造を設ける場合に比べてボール２９および伝熱板４７の周囲構造を簡素化して、その分だけコストを削減することができる。
【００９３】
上記美容器具において、図１８および図２１に示すように肌接触体２の外面に、肌面に熱刺激を付与する肌刺激面４２・４３を設ける。正面視における肌刺激面４２・４３の外郭線の内側に、複数個のボール２９を配置する。なお本発明において、熱源３からボール２９へ熱を供給することは必須ではない。
このように、肌刺激面４２・４３の外郭線の内側に複数個のボール２９を配置すると、肌面に対して複数個のボール２９と肌刺激面４２・４３を同時に押し当てることができる。従って、複数個のボール２９を肌面上で同時に転動させて圧刺激を付与でき、さらに肌面を肌刺激面４２・４３で擦ることによる圧刺激と熱刺激を付与でき、肌面に対して多様な刺激を同時に付与することができる。
【００９４】
上記美容器具において、図１８に示すように、肌刺激面４２・４３に３個以上のボール２９を配置し、各ボール２９の中心を結ぶ形状を正多角形状に形成する。
このように、肌刺激面４２・４３内に配置した各ボール２９の中心を結ぶ形状を正多角形状に形成すると、美容器具のデザイン性を向上させて、その商品価値を高めることができる。また、複数のボール２９を肌面上で転動させた際に、隣接する２個のボール２９で肌面をつまんで圧刺激を付与することを可能にして、美容器具が付与する圧刺激を多様化することができる。
【００９５】
上記美容器具において、図２１に示すように、肌刺激面４２・４３に４個のボール２９を配置し、各ボール２９の中心を結ぶ形状を台形状に形成する。
このように、肌刺激面４２・４３内に配置した各ボール２９の中心を結ぶ形状を台形状に形成すると、複数のボール２９を肌面上で転動させた際に、隣接する２個のボール２９で肌面をつまんで圧刺激を付与することを可能にして、美容器具が付与する圧刺激を多様化することができる。また、ボール２９を台形状に配置すると、隣接する２個のボール２９の間隔を多様化させることができる。すなわち、台形の上底の両端に配置した２個のボール２９と、下底の両端に配置した２個のボール２９とでは、その間隔が異なる。間隔が比較的小さい２個のボール２９によれば、肌面を比較的強くつまむことができ、間隔が比較的大きい２個のボール２９によれば、肌面を比較的弱くつまむことができる。つまり、強さの異なる複数の圧刺激を肌面に付与することが可能となる。
【００９６】
上記美容器具において、図１８および図２１に示すように、ボール２９の露出部分の投影面積の総和を、肌刺激面４２・４３の面積よりも小さく設定する。
ボール２９が肌面に付与する圧刺激は比較的大きいため、ボール２９の露出部分の投影面積の総和を、肌刺激面４２・４３の面積よりも小さくすることにより、ボール２９が密集するのを避けて、肌接触体２の全体が肌面に付与する圧刺激を強過ぎない適度なものにすることができる。
【００９７】
（第９の提案例）  図２２ないし図２４は、美容器具に係る第９の提案例を示す。本提案例における本体ケース１（電装品ユニット４等の内蔵部品や機能を含む）の構造は、先の第８の提案例と同じであるので、その説明は省略する。本提案例に係るアタッチメント９０Ｄは、肌接触体２がボール２９に代えて丸底壺型のローラ（転動体）１０９を備える点で、上記各アタッチメント９０Ａ〜９０Ｃと大きく相違する。具体的には、アタッチメント９０Ｄは、装着凹部９４が設けられたベース体１１０と、ベース体１１０の上面から突出するように配置される左右一対のヒータユニット（熱源）１１１と、各ヒータユニット１１１に被さる肌接触体２とを備える。各ヒータユニット１１１は丸棒状に形成してあり、同ユニット１１１の中心軸のまわりに、ローラ１０９を含む肌接触体２の全体が回転自在に支持してある。ローラ１０９とヒータユニット１１１の中心軸は一致しており、この中心軸がローラ１０９の回転軸Ｐとして機能する。各ローラ１０９の回転軸Ｐは、本体ケース１の上下方向の中心軸Ｑに対して前傾（傾斜）しており、本提案例では中心軸Ｑに対する回転軸Ｐの前方への傾斜角度αを５０度とした。また、左右の回転軸Ｐを含む平面内における左右の回転軸Ｐの交差角度βを１００度とした。アタッチメント９０Ｄの全体は中心軸Ｑに対して左右対称である。交差角度βの「交差」の意味するところは、図２３において一方の回転軸Ｐが奥まった位置にあり、他方の回転軸Ｐが手前の位置あって、２つの回転軸Ｐの互いが左右方向から視た側面視において交差しないが平面視では交差するような位置関係、つまり２つの回転軸Ｐがねじれの位置関係を含む。本提案例においては、平面視、側面視ともに２つの回転軸Ｐは交差している。また、本提案例では、本体ケース１に対して一対のローラ１０９を設けているが、前後方向に、回転軸Ｐの交差角度が同じ或いは交差角度を異ならせたもう一対のローラ１０９を設けることができる。つまり４個のローラ１０９を設けることができる。
【００９８】
次に、ヒータユニット１１１および肌接触体２の構造について説明するが、同説明においては、図２４に表記した矢印と上下の表示に従い、ローラ１０９とヒータユニット１１１の中心軸（ローラ１０９の回転軸Ｐ）の伸び方向を上下方向と規定し、ローラ１０９とヒータユニット１１１の突端側を上、基端側を下と規定する。ヒータユニット１１１は、下向きに開口する細長い円筒状の伝熱筒１１４と、伝熱筒１１４の内奥部に収容されるヒータ１１５とを備える。ヒータ１１５は、ＰＴＣヒータや電熱線ヒータを好適に用いる。伝熱筒１１４は、熱伝導率が高くかつ導電性を有する金属材料を素材として形成してある。具体的には、剛性を有する銅またはアルミニウムで構成してある。ヒータ１１５と伝熱筒１１４との間には図示していないが有底筒状で熱伝導性に優れ絶縁性もあるシリコーンが介在してある。伝熱筒１１４の下端部には、伝熱筒１１４をベース体１１０に連結固定するための段部１１６が形成してある。ヒータ１１５は、装着凹部９４に設けた駆動電流供給用のコネクタ９６Ａ・９６Ｂ（図２２参照）にリード線で接続してある。また伝熱筒１１４の内周面に、パルス電流供給用のコネクタ９６Ｃから延びるリード線１０６が接続してある（図２４参照）。つまり伝熱筒１１４は、制御基板１０の電流調整回路からパルス電流の供給を受ける内部電極１１７を兼ねる。丸棒状の内部電極１１７に供給されたパルス電流は、後に詳述する摺動端子１３５を介してローラ１０９に供給される。つまり、伝熱筒１１４は剛体の電極となり、電流供給手段の一部を構成する。また、ヒータユニット１１１の伝熱体（棒状体）１１４は上述したようにローラ１０９の回転軸Ｐでもある。
【００９９】
肌接触体２は、下向きに開口する丸底壺型のローラ１０９と、ヒータユニット１１１の熱をローラ１０９へ伝導する受熱体１２０とを備える。ローラ１０９は、その大半を占める球欠（球を一つの平面で切り取った空間図形）型の頭部１２１と、頭部１２１の下端に連続する首部１２２とを備える。頭部１２１の上半部は半球状の突端部１２３を構成し、頭部１２１の下半部は外凸状に湾曲する膨出部１２４を構成する。首部１２２は、膨出部１２４の下端に連続する括れ部１２５と、括れ部１２５の下端に連続する張出部１２６とで構成される。すなわちローラ１０９には、上側から順に突端部１２３、膨出部１２４、括れ部１２５および張出部１２６が形成してある。括れ部１２５はローラ１０９において最も小径の箇所であり、その外周面は内凹み状に湾曲している。張出部１２６の外周面は外凸湾曲面で形成してあり、その外径寸法Ｒ２は頭部１２１の外径寸法Ｒ１よりも小さく設定してある。首部１２２の内周面と伝熱筒１１４の外周面との間には、ヒータユニット１１１に対してローラ１０９を滑らかに回転させるためのベアリング１２７が配置してある。
【０１００】
ヒータユニット１１１は、ローラ１０９の首部１２２から頭部１２１の内奥面の付近まで挿入してあり、このヒータユニット１１１を取り囲むように受熱体１２０が配置してある。受熱体１２０は内受熱体１２９と外受熱体１３０からなり、ヒータユニット１１１の熱は内受熱体１２９と外受熱体１３０を順に介してローラ１０９に伝導される。具体的には内受熱体１２９は、伝熱筒１１４の外周面を離れて取り囲む上下対称な球帯（球面を平行な二平面で切ったとき、その二平面に挟まれる球面の部分）型の包囲壁１３１と、包囲壁１３１の内周面から内向きに伸びる複数個の連結片１３２と、各連結片１３２の内端（突端）に形成される受熱片１３３とを一体に備える。受熱片１３３は、横断面円弧状の弾性変形可能な湾曲板からなり、伝熱筒１１４の外周面すなわち熱供給面１３４に弾性的に密着している。本実施例では、包囲壁１３１の上半部と下半部のそれぞれに一対の連結片１３２および受熱片１３３を設けた。一対の連結片１３２および受熱片１３３は伝熱筒１１４に対して対称に配置してある。
【０１０１】
外受熱体１３０は、内受熱体１２９の包囲壁１３１よりも一回り大きい球帯型に形成してあり、包囲壁１３１の外周面とローラ１０９の頭部１２１の内周面との間に配置されて、両面に対して密着する。ローラ１０９と内受熱体１２９が金属材料を素材として形成されるのに対し、外受熱体１３０はシリコーンなどの弾性体を素材として形成される。柔軟性（弾性）および熱伝導性に優れるシリコーンなどの弾性体で外受熱体１３０を形成すると、外受熱体１３０を包囲壁１３１およびローラ１０９に対して隙間無く密着させて、包囲壁１３１からローラ１０９への熱伝導を良好に行える。ヒータユニット１１１のヒータ１１５が発する温熱は、伝熱筒１１４の熱供給面１３４に密着する各受熱片１３３から連結片１３２を介して包囲壁１３１に伝導し、さらに包囲壁１３１から外受熱体１３０を介してローラ１０９に伝導する。外受熱体１３０とローラ１０９および包囲壁１３１との間に生じる摩擦力は、伝熱筒１１４と各受熱片１３３の間に生じる摩擦力よりも十分に大きいため、ローラ１０９を回転軸Ｐのまわりに回転させると、内受熱体１２９および外受熱体１３０はローラ１０９と同行回転する。
【０１０２】
外受熱体１３０の下方には、内部電極１１７（伝熱筒１１４）からローラ１０９へパルス電流を供給するための摺動端子１３５が配置してある。摺動端子１３５は金属製の板ばねからなり、その基端部はローラ１０９の内周面に固定され、その突端部は内部電極１１７の外周面すなわち電流供給面１３６に弾性的に密着している。制御基板１０の電流調整回路で生成され、雌雄のコネクタ９７Ｃ・９６Ｃ等を介して伝熱筒１１４、つまりローラ１０９の回転軸Ｐに伝導されたパルス電流は、摺動端子１３５を介してローラ１０９に伝導される。伝熱筒１１４の下部とベアリング１２７およびベース体１１０との間には絶縁被膜１３８が形成してある。
【０１０３】
図２３に示すように、左右のローラ１０９の膨出部１２４の最小対向間隔Ｗ１と、括れ部１２５の最大対向間隔Ｗ２と、張出部１２６の最小対向間隔Ｗ３とは、不等式Ｗ３＜Ｗ１＜Ｗ２の関係にある。本実施例では、間隔Ｗ１・Ｗ２・Ｗ３をそれぞれ１８ｍｍ、２２ｍｍ、６ｍｍとした。張出部１２６の外周面には複数個の凸部１３７が周方向等間隔に突設してある。
【０１０４】
本提案例に係るアタッチメント９０Ｄによれば、２個のローラ１０９の間に掌を挿入し、掌の肌面に沿ってアタッチメント９０Ｄを往復動させることにより、掌に圧刺激を付与することができる。詳しくは、両膨出部１２４で掌をつまむことによる圧刺激と、両張出部１２６で掌の肌面を擦ることによる圧刺激とを同時に付与することができる。膨出部１２４と張出部１２６の外周面は外凸状に湾曲しているため、掌の肌面に対して滑らかにフィットする。さらに、ローラ１０９が肌面に沿って回転することにより、張出部１２６に設けた複数個の凸部１３７から次々に圧刺激が付与される。また、ローラ１０９の各部位で肌面に圧刺激を付与するのと同時に、ヒータユニット１１１で加熱されたローラ１０９からの温熱刺激と、ローラ１０９に供給されたパルス電流による電流刺激を付与できる。
もちろんアタッチメント９０Ｄの適用対象は掌に限られず、顔肌、腕、足などにも適用することができる。
【０１０５】
本提案例に係る美容器具の操作については、基本的に第１の提案例の操作と基本的に同じである。つまり、本提案例に係る美容器具は、電源スイッチ１１の一度の操作により駆動を開始し、同スイッチ１１の再度の操作により停止する。具体的には、美容器具の停止状態で電源スイッチ１１が押圧操作されると、美容器具が駆動状態（記憶されていた後述する各運転モードが駆動状態）となる。つまり、制御基板１０からヒータ１１５に駆動電流が供給され、運転モードによっては肌接触体２（ローラ１０９）とグリップ電極５８にパルス電流が供給される。美容器具の駆動状態で電源スイッチ１１が押圧操作されると、上記駆動電流または／およびパルス電流の供給が停止される。本実施例に係る美容器具は、ヒータ１１５、肌接触体２とグリップ電極５８に電流が供給されない「待機モード」、ヒータ１１５に駆動電流を供給して肌接触体２を加熱する「温熱モード」、肌接触体２を加熱しながら肌接触体２をマイナスに帯電させる「イオン導入モード」、および、肌接触体２を加熱しながら肌接触体２をプラスに帯電させる「イオン導出モード」を有する。ユーザは、モード切替スイッチ１２の押圧操作により、運転モードを、「待機モード」、「温熱モード」、「イオン導入モード」、「イオン導出モード」を順に切り替えることができる。表示部１３を構成する４個のＬＥＤは、上から順に、待機モード、温熱モード、イオン導入モード、イオン導出モードを示しており、選択された運転モードに応じた４個のＬＥＤが点灯するようになっている。
【０１０６】
温熱モードにおいては、制御基板１０からヒータ１１５に駆動電流が供給され２個の肌接触体２が４０℃前後の温度まで加熱される。この運転モードでは、加熱状態が維持される肌接触体２を肌面に当て、そのまま肌接触体２を往復移動させれば、肌面に物理的な刺激（圧刺激）を付与しながら肌面に温熱刺激を付与できる
【０１０７】
イオン導入モードにおいては、制御基板１０からヒータ１１５に駆動電流が供給され、また２個の肌接触体２にマイナス極性のパルス電流が供給され、グリップ電極５８にプラス極性のパルス電流が供給される。この運転モードでは、予め肌面に化粧水などの美容用液を塗布した状態で肌接触体２を肌面に当て、そのまま肌接触体２を往復移動させれば、肌面に物理的な刺激（圧刺激）を付与しながら美容用液の保湿成分を肌に浸透させることができる。このとき肌接触体２は４０℃前後まで加熱されているので肌面に温熱刺激を付与でき、これにより保湿成分の浸透効果も向上する。
【０１０８】
イオン導出モードにおいては、制御基板１０からヒータ１１５に駆動電流が供給され、また２個の肌接触体２にプラス極性のパルス電流が供給され、グリップ電極５８にマイナス極性のパルス電流が供給される。この運転モードでは、肌接触体２に部分的に切りかかれた球状の専用のコットンシート（含浸体）を被せ、このコットンシートに美容用液を滲み込ませる。この状態で肌接触体２を肌面に当て、そのまま往復移動させる。これにより、肌面に物理的な刺激（圧刺激）を付与しながら、肌面に微弱な電流を供給でき、コットンシートに肌の微細な汚れを付着させることができる。このとき肌接触体２は４０℃前後まで加熱されているので肌面に温熱刺激を付与できる。他は第８の提案例と同じであるので、同じ部材に同じ符号を付してその説明を省略する。
【０１０９】
本提案例の変形例としてローラ１０９は、その生産性を考慮して、上下または左右に２分割したパーツを組み合わせて形成することができ、あるいは上下に３分割したパーツを組み合わせて形成することができる。ローラ１０９の全体を金属で構成する必要はなく、例えばプラスチック成形品の表面に金属めっきを施してローラ１０９を構成することができ、この場合もローラ１０９にパルス電流を流して肌面に電流刺激を付与することができる。また、ローラ１０９とヒータユニット１１１の中心軸は必ずしも一致させる必要は無く、ローラ１０９の中心軸に対してヒータユニット１１１の中心軸すなわちローラ１０９の回転軸Ｐを、ローラ１０９の径方向に偏心させてもよい。この場合は、左右のローラ１０９の対向間隔が、その回転に伴って変化するので、肌面に対して強い圧刺激と弱い圧刺激を交互に付与することができる。張出部１２６の外周面には、凸部１３７に代えて複数個の凹部を設けることができ、膨出部１２４などの外周面にも凸部１３７や凹部を設けることができる。
【０１１０】
（第１０の提案例）  図２５および図２６は、アタッチメント９０の構造を変更した本発明の第１０の提案例を示す。本提案例に係るアタッチメント９０Ｅは、肌接触体２を支持するヒータユニット１１１が回転軸Ｐの方向に移動可能であり、従って一対のローラ１０９の対向間隔を自在に変更できる点で、第９の提案例のアタッチメント９０Ｄと相違する。本提案例のヒータユニット１１１の伝熱筒（棒状体）１１４は、ベース体１１０の上壁に固定された丸筒状のガイド筒（棒状体）１４１で上下出没自在に案内支持されている。ガイド筒１４１の上面には、伝熱筒１１４を出没させるための通口１４２が形成してある。つまり、伝熱筒（棒状体）１１４とガイド筒（棒状体）１４１とで導電性筒体よるテレスコピック形の伸縮部が構成されている。２本の棒状体１１４・１４１は、縮めた状態と伸長した状態の少なくとも２つの位置で位置保持可能となっており、本提案例の場合は、図示しない節度構造により、伝熱筒（棒状体）１１４をガイド筒（棒状体）１４１の固定端まで縮めた状態のベース位置からガイド筒（棒状体）１４１の半分位置まで伸長した状態の第１伸長位置と、ガイド筒（棒状体）１４１の通口１４２位置まで伸長した状態の第２伸長位置の３つの位置に位置保持可能となっている。従って、ベース位置の場合には、ローラ１０９は、本体ケース１にもっとも近いところに位置（図２５における２点鎖線位置）し、第２伸長位置の場合には、ローラ１０９は、本体ケース１からもっとも遠いところに位置（図２５における実線位置）する。また、第１伸長位置の場合は、ローラ１０９は、本体ケース１からもっとも遠いところに位置するローラ１０９と本体ケース１にもっとも近いところに位置するローラ１０９の中間に位置することになる。３つのどの位置においても棒状体１１４・１４１同士が電気的に接続されていることから、制御基板１０から送られてくる電流は、リード線１０６、２本の棒状体１１４・１４１および後述するベアリング１４４からなる電流供給ラインを経由してローラ１０９に電流を供給できる。
【０１１１】
ローラ１０９の内奥面には、伝熱筒１１４の上端部（突端部）を囲む円筒状のボス１４３が下向きに突設してあり、このボス１４３と伝熱筒１１４の上端部との間に、丸棒状のヒータユニット１１１に対してローラ１０９を滑らかに回転させるためのベアリング１４４が配置してある。パルス電流供給用のコネクタ９６Ｃから延びるリード線１０６はガイド筒１４１に接続してあり、ガイド筒１４１に供給されたパルス電流は、伝熱筒１１４とベアリング１４４とボス１４３を順に介してローラ１０９に供給される。本提案例の場合、内外２本の棒状体（伝熱筒１１４とガイド筒１４１）により、ローラ１０９の回転軸Ｐが構成されている。リード線１０６をローラ１０９に直接接続すると、ローラ１０９を上下動させた際にリード線１０６が断線するおそれがあるが、本提案例のようにリード線１０６からガイド筒１４１を介して伝熱筒１１４に電流を供給すると、伝熱筒１１４とガイド筒１４１は共に剛体であるから、相対移動により断線するおそれは無く、従って美容器具の信頼性を高めることができる。ガイド筒１４１の外周面には絶縁被膜を形成することができる。
【０１１２】
本提案例のアタッチメント９０Ｅによれば、各ローラ１０９を本体ケース１およびベース体１１０に対して上下動させて、一対のローラ１０９の対向間隔を自在に変更できる。本実施例のアタッチメント９０Ｅは、掌、腕、太股など、太さの異なる複数の人体部位に対して適用することができる。具体的には、適用対象となる人体部位の太さに合うように、両ローラ１０９を回転軸Ｐに沿って移動させて対向間隔を調整し、両ローラ１０９で当該部位を挟み、肌面に沿ってアタッチメント９０Ｅを往復動させることにより、当該部位に圧刺激を付与することができる。例えば図２５において、各ローラ１０９を２点鎖線に示すように縮めた位置に配置した状態では、湾曲する肌面（太股など）の手前側を圧刺激し、一方、実線で示す伸長位置に配置した状態では、湾曲する肌面の奥まった部位を圧刺激できる。他は第１実施例と同じであるので、同じ部材に同じ符号を付してその説明を省略する。
【０１１３】
（第１１の提案例）  図２７は、アタッチメント９０の構造を変更した第１１の提案例を示す。本提案例に係るアタッチメント９０Ｆは、ローラ１０９が上下一対の分割体１４７・１４８で構成される点で、第１０の提案例のアタッチメント９０Ｅと相違する。本提案例のローラ１０９は、括れ部１２５の上下方向の中央において、突端部１２３および膨出部１２４を含む第１分割体１４７と、張出部１２６を含む第２分割体１４８に分割されている。第１分割体１４７は、伝熱筒１１４でベアリング１４４を介して回転自在に支持してあり、この伝熱筒１１４がガイド筒１４１で上下出没自在に案内支持してある。第２分割体１４８は、ガイド筒１４１でベアリング１２７を介して回転自在に支持してあり、第１分割体１４７とは独立して回転軸Ｐのまわりに回転可能である。
【０１１４】
本提案例のアタッチメント９０Ｆによれば、各ローラ１０９の第１分割体１４７を第２分割体１４８に対して上下動させて、第１分割体１４７どうしの対向間隔を自在に変更できる。従って、第１０の提案例のアタッチメント９０Ｅと同様に、掌、腕、太股など、太さの異なる複数の人体部位に対して適用することができる。さらに本提案例では、上下に離れた第１分割体１４７と第２分割体１４８を同時に肌面に接触させて、圧刺激を付与することができる。つまり、肌面の広い範囲に両分割体１４７・１４８で同時に圧刺激を付与することができる。両分割体１４７・１４８は互いに独立して回転するので、各分割体１４７・１４８と肌面の間に大きな摩擦が生じることは無く、各分割体１４７・１４８を肌面に沿ってスムーズに往復動させることができる。他は第１０の提案例と同じであるので、同じ部材に同じ符号を付してその説明を省略する。なお、第１分割体１４７と第２分割体１４８の形状や大小は任意に設定することができ、例えば両分割体１４７・１４８は同一形状や相似形状などであってもよい。
【０１１５】
第１０および第１１の提案例において、外受熱体１３０を導電性かつ弾性を有するシリコーンやゴムなどの弾性体で形成すると、ガイド筒１４１から伝熱筒１１４に伝導したパルス電流を、内受熱体１２９および外受熱体１３０を介してローラ１０９に供給することができる。この場合は、伝熱筒１１４の熱供給面１３４が電流供給面１３６を兼ねるとともに、内受熱体１２９の連結片１３２および受熱片１３３が摺動端子１３５を兼ねる。摺動端子１３５（連結片１３２および受熱片１３３）は、包囲壁１３１および外受熱体１３０を介してローラ１０９の内面に固定されている。また変形例として、円筒状のボス１４３を下向きに延長し、当該延長部の内周面に摺動端子１３５を固定し、同端子１３５を伝熱筒１１４の外周面すなわち電流供給面１３６に弾性的に接触させることができる。
【０１１６】
（第１２の提案例）  図２８は、アタッチメント９０の構造を変更した第１２の提案例を示す。本提案例に係るアタッチメント９０Ｇは、ローラ１０９の頭部１２１が拡縮可能なゴムで形成される点で、第９の提案例例のアタッチメント９０Ｄと相違する。各ローラ１０９は、伝熱筒１１４でベアリング１２７を介して回転自在に支持される金属製の首部１２２と、内部に気密空間Ｓが形成されたゴム製の頭部１２１とで構成してあり、頭部１２１は首部１２２と一体に伝熱筒１１４のまわりを回転可能である。頭部１２１内の気密空間Ｓは、伝熱筒１１４の内部を通じて、ベース体１１０に内蔵された給気用のポンプ１５１と排気弁１５２に接続してある。ポンプ１５１を駆動して気密空間Ｓへ給気して頭部１２１を拡径し、あるいは排気弁１５２を操作して気密空間Ｓから排気して頭部１２１を縮径することにより、２個のローラ１０９の対向間隔をユーザの好みに合わせて調整することができる。ゴム製の頭部１２１が膨張していない自然状態（実線）のローラ１０９の形状は、第１実施例のローラ１０９の形状とほぼ同一寸法、同一形状である。他は第９の提案例と同じであるので、同じ部材に同じ符号を付してその説明を省略する。
【０１１７】
（第１３の提案例）  図２９および図３０は、アタッチメント９０の構造を変更した本発明の第１３の提案例を示す。本提案例に係るアタッチメント９０Ｈは、ローラ１０９が提灯型の拡縮部１５５を備える点で、第９の提案例のアタッチメント９０Ｄと相違する。拡縮部１５５は、図２９に想像線で示すように、上下方向に圧縮することで拡径し、逆に上下方向に引き伸ばすと縮径する。具体的には拡縮部１５５は、外凸状に湾曲する複数枚（本実施例では１２枚）の弾性板１５６を、ヒータユニット１１１のまわりに周方向等間隔に配置して構成されている。各弾性板１５６の上下端は、ヒータユニット１１１の伝熱筒１１４に挿通された上下一対の保持体１５７・１５８にそれぞれ係止されている。張出部１２６を含む下保持体１５８が伝熱筒１１４に固定されるのに対し、上保持体１５７は伝熱筒１１４に沿って上下スライド可能である。上保持体１５７には、各弾性板１５６からの上向きの付勢力が作用しており、この付勢力は上保持体１５７の上側に配置された操作体１５９で受け止められる。操作体１５９はねじ穴１６０を有し、伝熱筒１１４の上部に設けられたねじ軸１６１にねじ込んである。操作体１５９を回転操作して下向きに移動させると、拡縮部１５５を上下方向に圧縮して拡径させることができ、逆に操作体１５９を上向きに移動させると、拡縮部１５５を上下方向に引き伸ばして縮径させることができる。拡縮部１５５を縮径させた状態のローラ１０９の形状は、弾性板１５６間の隙間やねじ軸１６１、操作体１５９の存在を除けば概ね第１実施例のローラ１０９の形状と同一である。ベース体１１０の上壁内面には、伝熱筒１１４の下端部を回転自在に支持するベアリング１６２が設けてあり、ローラ１０９（肌接触体２）はヒータユニット１１１と一体に回転する。ヒータユニット１１１のヒータ１１５に対する給電は、ヒータユニット１１１と共に回転しない不図示の給電構造を介して行う。他は第９の提案例と同じであるので、同じ部材に同じ符号を付してその説明を省略する。
【０１１８】
上記提案例に係る美容器具は以下の態様で実施することができる。
美容器具は、本体ケース１と、肌面上を転動可能な転動体を含む肌接触体２を備えている。肌接触体２の転動体が、回転軸Ｐまわりに回転可能なローラ１０９である。少なくとも２個のローラ１０９が隣り合って配置されている。各ローラ１０９の回転軸Ｐが所定の交差角度βを有して配置されている。各ローラ１０９が回転軸Ｐに沿って移動可能に支持されている。
このように、転動体としての２個のローラ１０９を隣り合って配置しているので、２個のローラ１０９の間に挿入した手や腕などの人体部位に対して圧刺激を付与することができる。また、各ローラ１０９を回転軸Ｐに沿って移動可能に支持することにより、移動位置の違いで２個のローラ１０９の対向間隔を変更することができる。従って、掌、腕、太股など、太さの異なる複数の人体部位に対して、美容器具を適用することができる。具体的には、適用対象となる人体部位の太さに合うように、両ローラ１０９を移動させて対向間隔を調整し、両ローラ１０９で当該部位を挟み、肌面に沿って美容器具を往復動させることにより、当該部位に圧刺激を付与することができる。例えば図２５において、各ローラ１０９を２点鎖線に示すように縮めた位置に配置した状態では、湾曲する肌面（太股など）の手前側を圧刺激し、一方、実線で示す伸長位置に配置した状態では、湾曲する肌面の奥まった部位を圧刺激できる。
【０１１９】
上記美容器具において、各ローラ１０９が、第１分割体１４７と、第２分割体１４８とで構成されている。第１分割体１４７が回転軸Ｐに沿って移動可能に支持されている。
このように、各ローラ１０９を第１分割体１４７と第２分割体１４８で構成し、第１分割体１４７を回転軸Ｐに沿って移動可能に支持することにより、第１分割体１４７同士の対向間隔を自在に変更できる。従って、掌、腕、太股など、太さの異なる複数の人体部位に対して、本発明の美容器具を適用することができる。具体的には、適用対象となる人体部位の太さに合うように、第１分割体１４７を移動させて対向間隔を調整し、両第１分割体１４７で当該部位を挟み、肌面に沿って美容器具を往復動させることにより、当該部位に圧刺激を付与することができる。これと同時に、第１分割体１４７から離れた第２分割体１４８を肌面に接触させて、圧刺激を付与することができる。つまり本発明によれば、肌面の広い範囲に両分割体１４７・１４８で同時に圧刺激を付与することができる。
【０１２０】
上記美容器具において、第１分割体１４７と第２分割体１４８が、回転軸Ｐまわりに互いに独立して回転可能である。
このように、第１分割体１４７と第２分割体１４８を互いに独立して回転可能とすることにより、各分割体１４７・１４８を肌面に沿って往復動させた際に、各分割体１４７・１４８が肌面に沿って回転するので、各分割体１４７・１４８と肌面の間に大きな摩擦が生じるのを解消して、各分割体１４７・１４８を肌面に沿ってスムーズに往復動させることができる。
【０１２１】
上記美容器具において、各ローラ１０９の突端側から基端側にかけて、突端部１２３、外凸状の膨出部１２４、内凹み状の括れ部１２５、および括れ部１２５よりも大径の張出部１２６が記載順に形成してある。
このように、ローラ１０９の突端側から基端側にかけて、突端部１２３、外凸状の膨出部１２４、内凹み状の括れ部１２５、および張出部１２６を記載順に形成すると、隣り合う２個のローラ１０９の対向間隔を場所により異ならせることができる。間隔が比較的小さい箇所では人体部位を比較的強くつまむことができ、間隔が比較的大きい箇所では人体部位を比較的弱くつまむことができる。つまり、圧刺激に強弱を付けることができる。
【０１２２】
上記美容器具において、隣り合う２個のローラ１０９の膨出部１２４の最小対向間隔Ｗ１と、括れ部１２５の最大対向間隔Ｗ２と、張出部１２６の最小対向間隔Ｗ３が、不等式Ｗ３＜Ｗ１＜Ｗ２の関係に設定してある。
このように、２個のローラ１０９の膨出部１２４の最小対向間隔Ｗ１と、括れ部１２５の最大対向間隔Ｗ２と、張出部１２６の最小対向間隔Ｗ３とを、不等式Ｗ３＜Ｗ１＜Ｗ２の関係に設定することにより、両ローラ１０９の間に突端側から挿入した手や腕などの人体部位に対して、膨出部１２４と張出部１２６を同時に接触させることができる。従って、両膨出部１２４で人体部位をつまむことによる圧刺激と、両張出部１２６で人体部位を擦ることによる圧刺激とを同時に付与することができる。
【０１２３】
上記美容器具において、張出部１２６の外径寸法Ｒ２が、突端部１２３と膨出部１２４を含む頭部１２１の外径寸法Ｒ１よりも小さく設定してある。
このように、張出部１２６の外径寸法Ｒ２を頭部１２１の外径寸法Ｒ１よりも小さく設定することにより、本体ケース１等を握る手に対して張出部１２６が接当干渉するのを解消して、美容器具の使い勝手を向上することができる。
【０１２４】
上記美容器具において、張出部１２６の外周面が外凸湾曲面で形成してある。
このように、張出部１２６の外周面を外凸湾曲面で形成することにより、手や腕などの人体部位に対する張出部１２６の肌当たりを滑らかなものとして、張出部１２６のフィット感を向上することができる。
【０１２５】
上記美容器具において、張出部１２６の外周面に沿って複数個の凸部１３７または凹部が形成してある。
このように、張出部１２６の外周面に沿って複数個の凸部１３７または凹部を形成することにより、ローラ１０９が肌面に沿って回転することにより、張出部１２６に接触する肌面に対して凸部１３７または凹部で次々に圧刺激を与えることができる。これにより、張出部１２６で人体部位を擦ることによる圧刺激を向上することができる。
【０１２６】
上記美容器具において、各ローラ１０９の回転軸Ｐは、本体ケース１の中心軸Ｑに対して傾斜している。
このように、各ローラ１０９の回転軸Ｐが、本体ケース１の中心軸Ｑに対して傾斜していることにより、無理な把持姿勢をとらずとも容易に各ローラ１０９を肌面に当てることができる。
【０１２７】
上記美容器具において、ローラ１０９が肌面に電流を供給する肌電極となっている。ローラ１０９に電流を供給する電流供給手段の一部を回転軸Ｐが兼ねている。
このように、ローラ１０９が肌面に電流を供給する肌電極となっていることにより、肌面に電流刺激を付与することができる。また、ローラ１０９に電流を供給する電流供給手段の一部を回転軸Ｐが兼ねていることにより、ローラ１０９に電流を供給するのにすべてリード線を使用せずに済むため、リード線の断線による導通不良を可及的に防止できる。さらに、電流供給手段の一部を回転軸Ｐが兼ねていることにより、リード線の断線防止目的に別途電流供給用電極を設けずに済むためコストを削減できる。
【０１２８】
上記美容器具において、ローラ１０９の回転軸Ｐに沿って、円筒状の熱供給面１３４を有する熱源１１１を配置する。ローラ１０９の内面と熱源１１１の熱供給面１３４との間に、熱源１１１の熱をローラ１０９へ伝導する受熱体１２０を配置する。受熱体１２０は、熱供給面１３４に弾性的に密着する受熱片１３３を含み、ローラ１０９と同行回転する。
このように、熱源１１１の熱をローラ１０９へ伝導する受熱体１２０が、熱源１１１の熱供給面１３４に弾性的に密着する受熱片１３３を含み、ローラ１０９と同行回転するものであると、ローラ１０９の回転中においても熱源１１１の熱を受熱体１２０へ確実に伝導して、ローラ１０９を加熱または冷却することができる。
【０１２９】
上記美容器具において、図２８ないし図３０に示すように、ローラ１０９は径方向に拡縮可能である。
このように、ローラ１０９が径方向に拡縮可能であると、２個のローラ１０９の対向間隔を調整することにより、両ローラ１０９で人体部位をつまむ力の強さをユーザの好みに合わせて調整することができる。具体的には、両ローラ１０９の対向間隔を小さくするほど人体部位を強くつまむことができ、対向間隔を大きくするほど人体部位を弱くつまむことができる。
【０１３０】
さらに上記実施例に係る美容器具は以下の態様で実施することができる。
美容器具は、本体ケース１と、肌面上を転動可能な転動体を含む肌接触体２を備えている。肌接触体２の転動体が、回転軸Ｐまわりに回転可能なローラ１０９である。少なくとも２個のローラ１０９が隣り合って配置されている。各ローラ１０９の回転軸Ｐが所定の交差角度βを有して配置されている。ローラ１０９が肌面に電流を供給する肌電極となっている。
このように、転動体としての２個のローラ１０９を隣り合って配置しているので、２個のローラ１０９の間に挿入した手や腕などの人体部位に対して圧刺激を付与することができる。ローラ１０９が肌面に電流を供給する肌電極となっていることにより、肌面に電流刺激を付与することができる。
【０１３１】
上記美容器具において、ローラ１０９に電流を供給する電流供給手段を回転軸Ｐが兼ねている。
このように、ローラ１０９に電流を供給する電流供給手段の一部を回転軸Ｐが兼ねていることにより、ローラ１０９に電流を供給するのにすべてリード線を使用せずに済むため、電流供給ラインの断線による導通不良を可及的に防止できる。さらに、電流供給手段の一部を回転軸Ｐが兼ねていることにより、リード線の断線防止目的に別途電流供給用電極を設けずに済むためコストを削減できる。
【０１３２】
上記美容器具において、ローラ１０９の回転軸Ｐが、円筒状の電流供給面１３６を有し、ローラ１０９の内面に、電流供給面１３６に弾性的に接触して電流をローラ１０９に供給する摺動端子１３５を固定している。
このように、ローラ１０９の回転軸Ｐが、円筒状の電流供給面１３６を有し、ローラ１０９の内面に、電流供給面１３６に弾性的に接触して電流をローラ１０９に供給する摺動端子１３５を固定していることにより、ローラ１０９の回転中においても、回転軸Ｐからローラ１０９への電流の供給を常に確実かつ良好に行うことができる。
【０１３３】
上記美容器具において、ローラ１０９の回転軸Ｐとローラ１０９との間にベアリング１４４を設けることでローラ１０９を滑らかに回転できるよう構成されている。ローラ１０９に電流を供給する電流供給手段が、回転軸Ｐとベアリング１４４を含んで構成される。
このように、ローラ１０９に電流を供給する電流供給手段が、回転軸Ｐとベアリング１４４を含んで構成されることにより、ローラ１０９に電流を供給するのにすべてリード線を使用せずに済むため、電流供給ラインの断線による導通不良を可及的に防止できる。
【０１３４】
上記美容器具において、本体ケース１と、肌面上を転動可能な転動体を含む肌接触体２を備えている。肌接触体２の転動体が、回転軸Ｐまわりに回転可能なローラ１０９である。少なくとも２個のローラ１０９が隣り合って配置されている。各ローラ１０９の回転軸Ｐが所定の交差角度βを有して配置されている。各ローラ１０９が回転軸Ｐに沿って移動可能に支持されている。
このように、各ローラ１０９を回転軸Ｐに沿って移動可能に支持することにより、移動位置の違いで２個のローラ１０９の対向間隔を変更することができる。従って、掌、腕、太股など、太さの異なる複数の人体部位に対して、本発明の美容器具を適用することができる。具体的には、適用対象となる人体部位の太さに合うように、両ローラ１０９を移動させて対向間隔を調整し、両ローラ１０９で当該部位を挟み、肌面に沿って美容器具を往復動させることにより、当該部位に圧刺激を付与することができる。例えば図２５において、各ローラ１０９を２点鎖線に示すように縮めた位置に配置した状態では、湾曲する肌面（太股など）の手前側を圧刺激し、一方、実線で示す伸長位置に配置した状態では、湾曲する肌面の奥まった部位を圧刺激できる。
【０１３５】
上記美容器具において、各ローラ１０９が、第１分割体１４７と、第２分割体１４８とで構成されており、第１分割体１４７が回転軸Ｐに沿って移動可能に支持されている。
このように、各ローラ１０９を第１分割体１４７と第２分割体１４８で構成し、第１分割体１４７を回転軸Ｐに沿って移動可能に支持することにより、第１分割体１４７同士の対向間隔を自在に変更できる。従って、掌、腕、太股など、太さの異なる複数の人体部位に対して、本発明の美容器具を適用することができる。具体的には、適用対象となる人体部位の太さに合うように、第１分割体１４７を移動させて対向間隔を調整し、両第１分割体１４７で当該部位を挟み、肌面に沿って美容器具を往復動させることにより、当該部位に圧刺激を付与することができる。これと同時に、第１分割体１４７から離れた第２分割体１４８を肌面に接触させて、圧刺激を付与することができる。つまり本発明によれば、肌面の広い範囲に両分割体１４７・１４８で同時に圧刺激を付与することができる。
【０１３６】
上記美容器具において、第１分割体１４７と第２分割体１４８が、回転軸Ｐまわりに互いに独立して回転可能である。
このように、第１分割体１４７と第２分割体１４８を互いに独立して回転可能とすることにより、各分割体１４７・１４８を肌面に沿って往復動させた際に、各分割体１４７・１４８が肌面に沿って回転するので、各分割体１４７・１４８と肌面の間に大きな摩擦が生じるのを解消して、各分割体１４７・１４８を肌面に沿ってスムーズに往復動させることができる。
【０１３７】
上記美容器具において、回転軸Ｐが少なくとも２本の棒状体１１４・１４１からなり、２本の棒状体１１４・１４１は、相対的に移動可能に設けられている。移動する側の棒状体１１４にローラ１０９が設けられている。移動する側の棒状体１１４とローラ１０９とが電気的に接続されている。２本の棒状体１１４・１４１は、縮めた状態と伸長した状態の少なくとも２つの位置で位置保持可能となっており、どちらの位置においても棒状体１１４・１４１同士が電気的に接続されていることから、２本の棒状体１１４・１４１を経由してローラ１０９に電流を供給可能となっている。
このように、２本の棒状体１１４・１４１のうち移動する側の棒状体１１４とローラ１０９とが電気的に接続されていることにより、ローラ１０９に電流を供給するのにすべてリード線を使用せずに済むため、電流供給ラインの断線による導通不良を可及的に防止できる。このとき、２本の棒状体１１４・１４１がともに導電性を有する剛体であるので、縮めた状態でも伸長した状態においても電流をローラ１０９に供給することができ、しかも断線のおそれがなく、品質的に優れた電流供給ラインを構成できる。
【０１３８】
上記各提案例、上記各実施例の転動体は、上記各提案例や上記各実施例に示した球体状のボール２９と丸底壺型のローラ１０９に限られず、例えば、楕円体状のボールや円筒形のローラなどであってもよい。転動体２９・１０９を加熱あるいは冷却することは必須ではなく、肌接触体２の少なくとも一部を熱源３・１１１で加熱あるいは冷却する構造になっていればよい。
【０１３９】
上記各提案例、上記各実施例では、電装品ユニット４が内部電源としての電池９を含むものとしたが、これに代えて外部の商用電源などから電装品ユニット４の制御基板１０へ駆動電流を供給することができる。具体的には、電装品ユニット４の一部としてのＡＣ−ＤＣコンバータを本体ケース１に内蔵し、商用電源の交流を同コンバータで直流に変換して制御基板１０へ供給する。あるいは、本体ケース１の外側の電源アダプターを含めて電装品ユニット４を構成し、電源アダプターにＡＣ−ＤＣコンバータを内蔵し、同コンバータから本体ケース１内の制御基板１０へ直流電流を供給する。
【符号の説明】
【０１４０】
１    本体ケース
２    肌接触体
３    熱源（ペルチェユニット）
４    電装品ユニット
６    弾性体（ばね）
２８  受熱体
２９  転動体（ボール）
３０  ボールカバー
３２  受熱面
３５  収容凹部
３８  ボール保持凹部
４２  肌刺激面
４３  肌刺激面
４５  ペルチェ素子
４７  伝熱板
４９  熱供給面
５８  グリップ電極
７０  伝熱凸部
７１  伝熱凹部
７４  支持体
７５  弾性体（ばね）
９０  アタッチメント
９１  ヘッドケース
１０９  転動体（ローラ）
１１０  ベース体
１１１  熱源（ヒータユニット）
１１４  伝熱筒
１１５  ヒータ
１１７  内部電極
１２０  受熱体
１２３  突端部
１２４  膨出部
１２５  括れ部
１２６  張出部
１３３  受熱片
１３４  熱供給面
１３５  摺動端子
１３６  電流供給面
１３７  凸部
１４７  第１分割体
１４８  第２分割体
【図１】
0006621640.tif 000002
【図２】
0006621640.tif 000003
【図３】
0006621640.tif 000004
【図４】
0006621640.tif 000005
【図５】
0006621640.tif 000006
【図６】
0006621640.tif 000007
【図７】
0006621640.tif 000008
【図８】
0006621640.tif 000009
【図９】
0006621640.tif 000010
【図１０】
0006621640.tif 000011
【図１１】
0006621640.tif 000012
【図１２】
0006621640.tif 000013
【図１３】
0006621640.tif 000014
【図１４】
0006621640.tif 000015
【図１５】
0006621640.tif 000016
【図１６】
0006621640.tif 000017
【図１７】
0006621640.tif 000018
【図１８】
0006621640.tif 000019
【図１９】
0006621640.tif 000020
【図２０】
0006621640.tif 000021
【図２１】
0006621640.tif 000022
【図２２】
0006621640.tif 000023
【図２３】
0006621640.tif 000024
【図２４】
0006621640.tif 000025
【図２５】
0006621640.tif 000026
【図２６】
0006621640.tif 000027
【図２７】
0006621640.tif 000028
【図２８】
0006621640.tif 000029
【図２９】
0006621640.tif 000030
【図３０】
0006621640.tif 000031